(57)【特許請求の範囲】
【請求項１】
ワイヤレス通信ネットワークのためのＤ２Ｄデバイスを動作させるための方法であって、前記Ｄ２Ｄデバイスは、送信機のセット及び／又は受信機のセットを含み、前記方法は、少なくとも１回のＤ２Ｄ動作のために使用されるべき、送信機のセットのうちの１つ以上の送信機及び／又は受信機のセットのうちの１つ以上の受信機を、他のＤ２Ｄデバイス又はネットワークノードによる支援に基づいて決定すること、を含む、方法。
【請求項２】
ワイヤレス通信ネットワークのためのＤ２Ｄデバイスであって、前記Ｄ２Ｄデバイスは、送信機のセット及び／又は受信機のセットを含み、前記Ｄ２Ｄデバイスは、少なくとも１回のＤ２Ｄ動作のために使用されるべき、送信機のセットのうちの１つ以上の送信機及び／又は受信機のセットのうちの１つ以上の受信機を、他のＤ２Ｄデバイス又はネットワークノードによる支援に基づいて決定する、ために適合される、Ｄ２Ｄデバイス。
【請求項３】
ワイヤレス通信ネットワークのための第２のＤ２Ｄデバイス（ＵＥ２）を動作させるための方法であって、前記方法は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、前記第１のＤ２Ｄデバイス（ＵＥ１）を支援すること、を含む、方法。
【請求項４】
ワイヤレス通信ネットワークのための第２のＤ２Ｄデバイス（ＵＥ２）であって、前記第２のＤ２Ｄデバイス（ＵＥ２）は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、前記第１のＤ２Ｄデバイス（ＵＥ１）を支援する、ために適合される、第２のＤ２Ｄデバイス（ＵＥ２）。
【請求項５】
ワイヤレス通信ネットワークにおいてネットワークノード（１００）を動作させるための方法であって、前記方法は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、前記第１のＤ２Ｄデバイス（ＵＥ１）を支援すること、を含む、方法。
【請求項６】
ワイヤレス通信ネットワークのためのネットワークノード（１００）であって、前記ネットワークノードは、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、前記第１のＤ２Ｄデバイス（ＵＥ１）を支援する、ために適合される、ネットワークノード。
【請求項７】
制御回路により実行可能なコードを含むコンピュータプログラムであって、前記コードは、請求項１、３又は５に記載の方法を前記制御回路に実行させ及び／又は制御させる、コンピュータプログラム。
【請求項８】
請求項７に記載のコンピュータプログラム及び／又は制御回路により実行可能なコードを記憶する記憶媒体であって、前記コードは、請求項１、３又は５に記載の方法を前記制御回路に実行させ及び／又は制御させる、記憶媒体。
【発明の詳細な説明】
【技術分野】
【０００１】
本開示は、ワイヤレス通信構成及びネットワークにおけるＤ２Ｄ動作のための方法及びデバイスに関する。
【背景技術】
【０００２】
ＬＴＥのような現代のワイヤレス通信ネットワークについて、基地局又はｅＮｏｄｅＢが関与せず若しくは例えばリソース管理及び／若しくはスケジューリングといったサポート的な機能性を提供するだけの、ユーザ機器間の直接的な通信モードがサポートされ得る。Ｄ２Ｄ又はＰｒｏＳｅ技術は、そうした機能性を提供する。
【発明の概要】
【発明が解決しようとする課題】
【０００３】
本発明の目的は、Ｄ２Ｄ通信に関連する、ＲＦ又は回路リソース、特に送信機及び／又は受信機を利用するためのアプローチを提供することである。
【課題を解決するための手段】
【０００４】
ワイヤレス通信ネットワークのための、送信機のセット及び／又は受信機のセットを含むＤ２Ｄデバイスを動作させるための方法が開示される。方法は、少なくとも１回のＤ２Ｄ動作のために使用されるべき、送信機のセットのうちの１つ以上の送信機及び／又は受信機のセットのうちの１つ以上の受信機を決定すること、を含む。
【０００５】
また、ワイヤレス通信ネットワークのためのＤ２Ｄデバイスが説明される。Ｄ２Ｄデバイスは、送信機のセット及び／又は受信機のセットを含む。さらに、Ｄ２Ｄデバイスは、少なくとも１回のＤ２Ｄ動作のために使用されるべき、送信機のセットのうちの１つ以上の送信機及び／又は受信機のセットのうちの１つ以上の受信機を決定する、ために適合される。
【０００６】
ワイヤレス通信ネットワークのための第２のＤ２Ｄデバイス（ＵＥ２）を動作させるための方法も考慮される。方法は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、第１のＤ２Ｄデバイス（ＵＥ１）を支援すること、を含む。
【０００７】
加えて、ワイヤレス通信ネットワークのための第２のＤ２Ｄデバイス（ＵＥ２）が開示される。第２のＤ２Ｄデバイス（ＵＥ２）は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、第１のＤ２Ｄデバイス（ＵＥ１）を支援する、ために適合される。
【０００８】
ワイヤレス通信ネットワークにおいてネットワークノードを動作させるための方法も考慮され得る。方法は、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、第１のＤ２Ｄデバイス（ＵＥ１）を支援すること、を含む。
【０００９】
ワイヤレス通信ネットワークのためのネットワークノードも開示される。ネットワークノードは、少なくとも１回のＤ２Ｄ動作のために第１のＤ２Ｄデバイス（ＵＥ１）により使用されるべき、送信機のセットのうちの１つ以上の送信機及び／又は受信機のセットのうちの１つ以上の受信機の決定において、第１のＤ２Ｄデバイス（ＵＥ１）を支援する、ために適合される。
【００１０】
さらに、制御回路により実行可能なコードを含むプログラムプロダクトであって、コードは、本明細書で説明される方法のうちのいずれかを制御回路に実行させ及び／又は制御させる、プログラムプロダクトが開示される。
【００１１】
追加で、本明細書で説明されるようなプログラムプロダクト及び／又は制御回路により実行可能なコードを担持する担体であって、コードは、本明細書で説明される方法のうちのいずれかを制御回路に実行させ及び／又は制御させる、担体が考慮され得る。
【発明の効果】
【００１２】
提示されるアプローチは、Ｄ２Ｄ動作のために使用されるべき、送信機及び／又は受信機のようなＲＦハードウェアリソースの決定を可能にし、Ｄ２Ｄデバイスは独自に、又は他のＤ２Ｄデバイス若しくはネットワークノードにより支援されて、所望の決定を成し得る。
【図面の簡単な説明】
【００１３】
図面は例示の目的で提供されるものであり、説明されるアプローチを、示される実施形態へ限定することを意図するものではない。
【００１４】
【図１】ワイヤレス通信ネットワークにおけるダイレクトＤ２Ｄ通信のためのセットアップを概略的に示す。
【図２】ｅＮｏｄｅＢにより容易化されるＤ２Ｄ通信のためのセットアップを概略的に示す。
【図３】セルラ通信のためのセットアップを概略的に示す。
【図４】Ｄ２Ｄ若しくはＰｒｏＳｅ通信を容易化するデバイス及び／又はサービスのための構成を概略的に示す。
【図５】Ｄ２Ｄデバイスの一例を示す。
【図６】基地局の一例を示す。
【発明を実施するための形態】
【００１５】
概して、ＵＥは、Ｄ２Ｄデバイスの一例又は代表例と考えられてよく、Ｄ２Ｄデバイスという用語は、特に明記されない限り、ＵＥと置き換えられてよい。
【００１６】
ｅＮｏｄｅＢ若しくはｅＮＢ又は基地局は、ネットワークノード、特に制御ノードの１つの派生であると考えられてよい。
【００１７】
図１から図３に、移動体通信ネットワーク内の（Ｄ２Ｄデバイスについての例としての）ユーザ機器の通信のための様々なセットアップが示されている。これらの図において、第１のノード又は第１のユーザ機器ＵＥ１は参照番号１０で示され、第２のノード又は第２のユーザ機器は参照番号１２で示されている。
【００１８】
第１の基地局又はネットワークノードは、ＬＴＥ／Ｅ−ＵＴＲＡＮに従ったｅＮｏｄｅＢ及び／又はＥＰＣであってよく、これには参照番号１００が付されている。第２の基地局は、ＬＴＥ／ＵＴＲＡＮに従ったｅＮｏｄｅＢ及び／又はＥＰＣであってよく、これは番号１０２で参照されている。ノード１００及び１０２は、ＵＥ１０とＵＥ１２との間のＤ２Ｄ通信のための協調又は制御ノードとして構成され得る。参照番号２００は、基地局１００及び１０２が接続され得る又は接続可能な、ネットワークの上位レイヤの機能又はデバイスを示しており、例えば、ＳＧＷ（サーバゲートウェイ（Server  GateWay）)及び／又はＰＧＷ（ＰＤＮゲートウェイ（PDN  GateWay））及び／又はＭＭＥ（モビリティ管理エンティティ（Mobility  Management  Entity））のようなＬＴＥパケットコアエレメントを示している。
【００１９】
ＵＥ１０及びＵＥ１２は、互いに近接していれば、旧来のセルラ通信（図３）の場合とは異なり、データ通信のために（例えば図１におけるような）「ダイレクトモード」を、又は（例えば図２におけるような）「ローカルルーティング型の（locally-routed）」パスを、使用することが可能であり得る。
【００２０】
１つのあり得るＬＴＥ／Ｅ−ＵＴＲＡＮ実装に従ったＤ２Ｄ動作のためのより詳細な例示的な参照アーキテクチャを図４に示す。図中、２つのＵＥ（１０、１２）が共通の基地局又はｅＮｏｄｅＢ１００へ接続されるセットアップのみが示されている。図４において、ＰＣｎは、様々なリファレンスポイント又はインタフェースを識別する。ＰＣ１は、Ｄ２Ｄデバイス又はＵＥ（１０又は１２）上で実行中のＰｒｏＳｅアプリケーション（ＰｒｏＳｅＡＰＰ）間のリファレンスポイントであり、ＰＣ２は、サーバ又は基地局側のＰｒｏＳｅ機能プロバイダとＰｒｏＳｅアプリケーションサーバとの間のリファレンスポイントである。ＰＣ３は、例えばディスカバリ及び／又は通信のための、ＰｒｏＳＥ機能とＤ２Ｄデバイス又はＵＥ１２との間のリファレンスポイントを示す。ＰＣ４は、例えばＵＥ１０とＵＥ１２との間に一対一の通信をセットアップセットアップするための、ＰｒｏＳｅ機能とＥＰＣとの間のリファレンスポイントである。ＰＣ５は、例えばＵＥ間のダイレクト通信又はリレー通信のために使用され得る、Ｄ２Ｄデバイス又はＵＥ１０とＤ２Ｄデバイス又はＵＥ１２との間の、例えばＤ２Ｄ通信に関与している第１のノードと第２のノードとの間の、リファレンスポイントである。ＰＣ６は、例えばＵＥ１０とＵＥ１２とが異なるＰＬＭＮ（公衆陸上移動体ネットワーク（Public  Land  Mobile  Networks））へ加入している場合に、異なるネットワークのＰｒｏＳＥ機能間のリファレンスポイントを識別する。ＳＧｉは、とりわけ、アプリケーションデータ及び／又はアプリケーションレベル制御のために使用され得るインタフェースを示す。ＥＰＣ（Evolved  Packet  Core）は、概して、例えばＭＭＥ、ＳＧＷ、ＰＷＧ、ＰＣＲＦ（ポリシー課金及びルール機能（Policy  Charging  and  Rules  Function））、ＨＳＳ（ホーム加入者サーバ（Home  Subscriber  Server））、等の複数のコアパケット機能又はエンティティを含み得る。Ｅ−ＵＴＲＡＮは、図４の構成の好ましいＲＡＴである。ＬＴＥ−Ｕｕは、ＵＥ１０、１２と基地局１００との間のデータ送信接続を示す。
【００２１】
図５は、デバイスツーデバイス通信の又は同通信のためのノードであり得るＤ２Ｄデバイス又はユーザ機器１０をより詳細に示す概略図である。ユーザ機器１０は、制御回路２０を含み、制御回路２０は、メモリへ接続されるコントローラを含み得る。制御回路２０内には、受信モジュール及び／又は送信モジュール及び／又は制御モジュールが、特にコントローラ内のモジュールとして実装され得る。ユーザ機器は、受信及び送信の、又は送受信の機能性を提供する無線回路２２も含み、無線回路２２は、制御回路へ接続され又は接続可能である。ユーザ機器１０のアンテナ回路２４は、信号を収集し又は送信し及び／又は増幅するために無線回路２２へ接続され又は接続可能である。無線回路２２及びそれを制御する制御回路２０は、デバイスツーデバイス通信のために構成され又は構成可能であり、特に、本明細書で説明されるようにＥ−ＵＴＲＡＮ／ＬＴＥリソースを利用し、並びに／又は、割り当てデータを受信し及び／若しくは割り当てデータに基づいてＤ２Ｄデータを送信する。
【００２２】
図６は、特にｅＮｏｄｅＢであり得る基地局１００を概略的に示す。基地局１００は、制御回路１２０を含み、制御回路１２０は、メモリへ接続されるコントローラを含み得る。制御回路内には、構成ユニット及び／又は決定ユニットが含まれてよく、後者は特に、基地局が協調ノードとして構成される場合に含まれてよい。制御回路は、基地局１００の無線回路１２２を制御するために接続され、無線回路は、受信機及び送信機並びに／又は送受信機の機能性を提供する。特に基地局がＤ２Ｄ通信にデバイスとして参加するように構成されている場合には、制御回路１２０は、本明細書で説明されるような抽出ユニットを含む、と考えられ得る。アンテナ回路１２４は、良好な信号受信又は伝送及び／又は増幅を提供するために無線回路１２２へ接続されてよく又は接続可能であってよい。
【００２３】
マルチキャリア又はキャリアアグリゲーション（ＣＡ）動作において、ＵＥは、２つ以上のサービングセルからデータを受信し及び／又は同セルへデータを送信することができる。換言すれば、ＣＡ対応型（capable）のデバイス又はＵＥは、２つ以上のサービングセルとともに動作するように構成されることができる。各サービングセルのキャリアは、概して、コンポーネントキャリア（ＣＣ）と呼ばれる。簡単に言えば、コンポーネントキャリア（ＣＣ）は、マルチキャリアシステム内の個々のキャリアをいう。キャリアアグリゲーション（ＣＡ）という用語は、「マルチキャリアシステム」、「マルチセル動作」、「マルチキャリア動作」、「マルチキャリア」送信及び／又は受信、とも呼ばれる（例えば、互換可能に呼ばれる）。これは、ＵＥからのアップリンク方向及びＵＥへのダウンリンク方向において、シグナリング及びデータの送信のためにＣＡが使用されること、を意味する。
【００２４】
ＣＣのうちの１つは、プライマリコンポーネントキャリア（ＰＣＣ）若しくは単にプライマリキャリア、又はアンカーキャリアでもある。残りのものは、セカンダリコンポーネントキャリア（ＳＣＣ）若しくは単にセカンダリキャリア、又はサプリメンタリキャリアとも呼ばれる。ＰＣＣ上のサービングセルは、プライマリセル（ＰＣｅｌｌ）又はプライマリサービングセル（ＰＳＣ）と互換可能に呼ばれる。同様に、セカンダリサービングセルは、セカンダリセル（ＳＣｅｌｌ）又はセカンダリサービングセル（ＳＳＣ）と互換可能に呼ばれる。
【００２５】
概して、プライマリ又はアンカーＣＣは、Ｄ２Ｄデバイス又はＵＥについての、例えばリソース割り当て及び／又はスケジューリングに関する必須のＵＥ固有シグナリング、並びに／割り当てデータ並びに／制御データを搬送し得る。プライマリＣＣ（別名、ＰＣＣ又はＰＣｅｌｌ）は、ＣＡにおけるアップリンク方向及びダウンリンク方向の両方に存在し並びに／又はそれら両方を含む。単一のＵＬ  ＣＣがある場合、ＰＣｅｌｌは明らかに、そのＣＣ上にある。ネットワークは、異なるプライマリキャリアを、同じセクタ又はセル内で動作している異なるＵＥへ割り当ててよい。
【００２６】
なお、Ｄ２Ｄデバイス又はＵＥは、ＣＡで構成されることなしに、必ずしもサービス中のものとは限らない２つ以上のキャリア周波数において、無線測定を（典型的には受信される非データ無線信号に基づいて）実行することもできることにも留意されたい。
【００２７】
本明細書で説明される実施形態を実装しなければ、少なくとも以下の問題が想定され得る：
一具体例：ＵＥがＣＡ対応型であって、Ｄ２Ｄ動作で又はＤ２Ｄ動作のために構成される場合、当該ＵＥは、使用されていないＣＣのベースバンド及びＲＦチェーンの両方を借りる又は利用する必要がある。例えば、ＵＥが（対応する受信機の数に応じて）Ｋ個分のＤＬ  ＣＡ対応であるが（Ｋ−Ｎ）個分のＤＬ  ＣＡで構成される場合、ＵＥは、ベースバンドのために残余のＲｘのいずれかを再使用するであろう。しかしながら、特定の受信機を再使用する可能性は、ＵＥのＲＦアーキテクチャに依存する。既存のソリューションにおいては、Ｄ２Ｄ動作のために好適な未使用の受信機をＵＥが再使用する基盤となる定義されたルールも手段も存在しない。ＵＥの振る舞いは予測できない。
様々なタイプのＣＡが、またＣＡ構成（例えば、ＵＬ及び／又はＤＬ  ＣＣの数）が、ＵＥによってサポートされる。これは、様々な種類のＵＥ無線周波数（ＲＦ）アーキテクチャがあることを意味し、それらは概して知られていない、又は、それらの詳細は当該ＵＥを管理するネットワークノードには知られていない。定義されたルール及び／又は方法論がないので、Ｄ２Ｄ動作のために、複数の受信機のうち性能の劣化を引き起こすいずれかの受信機でＵＥは構成されるかもしれず、又はそのような受信機をＵＥは選択するかもしれない。
ＵＥがＤ２Ｄのためにｒｘのみを使用しながらセルラＤＬにおいて受信を行うことができないケースもあり得る。
【００２８】
提言される概念は、Ｄ２Ｄ対応型のＵＥは、そのＲＦケイパビリティに基づいて、そのＤ２Ｄ動作のために使用されるべき受信機及び／又は送信機で、選択的に構成される、というものである。
【００２９】
概して、送受信機は送信機（ｔｘ）及び／又は受信機（ｒｘ）の機能性を提供し、送信機又は受信機への言及は送受信機を含み、送受信機は、そのようなものを実装したもの又は表現したものとみなされ得る。
【００３０】
送信機のセットは、概して、１つの又は２つ以上の送信機、特に２つの又は３つ以上の送信機、例えば２つの又は２の倍数の送信機、を含み得る。受信機のセットは、１つの又は２つ以上の受信機、特に２つの又は３つ以上の受信機、例えば２つの又は２の倍数の受信機、を含み得る。送受信機のセットは、１つの又は２つ以上の送受信機、特に２つの又は３つ以上の送受信機、例えば２つの又は２の倍数の送受信機、を含み得る。送受信機は、送信機及び／又は受信機を表わし得る。
【００３１】
Ｄ２Ｄデバイスは、概して、送信機のセット及び／又は受信機のセットを含み得る。
【００３２】
第１のＵＥ又はＤ２Ｄデバイスにおける方法を以下に説明する。Ｄ２Ｄデバイス若しくはＵＥを動作させるための、以下のいずれか１つ若しくはいずれかの組み合わせを含む方法、が想定され、並びに／又は、以下のいずれか１つ若しくはいずれかの組み合わせを実行するように適合されるＤ２Ｄデバイス若しくはＵＥ、が想定され得る。
【００３３】
ステップ０（ＵＥ１）（任意選択）：
−送信機のセット、及び
−受信機のセット、
のうちの少なくとも一方を示し及び／表わすデータ、を取得する。当該データから、それぞれのセットのうちのそれぞれ１つ以上の送信機及び／若しくは受信機が少なくとも１回のＤ２Ｄ動作のために選択され及び／若しくは選択可能であり及び／若しくは好適であり及び／若しくは構成可能であってよく、並びに／又は、当該データは、それぞれのセットのうちのそれぞれどの１つ以上の送信機及び／若しくは受信機が少なくとも１回のＤ２Ｄ動作のために選択され及び／若しくは選択可能であり及び／若しくは好適であり及び／若しくは構成可能であり得るのかを示し若しくは表す。代替的に又は追加で、当該データは、上記セットのうちのどの送信機が及び／又は上記セットのうちのどの受信機が、Ｄ２Ｄ動作のために構成され及び／又は選択され及び／又は使用されるのかを示し又は表わし得る。Ｄ２Ｄデバイス又はＵＥは、この取得のための取得モジュールを含み得る。
【００３４】
送信機及び／若しくは受信機のセット並びに／又は対応する送受信機のセットは、Ｄ２Ｄデバイスの及び／又はＤ２Ｄデバイス上のセットであると考えられ得る。
【００３５】
ステップ１（ＵＥ１）（任意選択）：別のノード及び／若しくはデバイスへ、取得されたデータ、並びに／又は、
−送信機のセット、及び
−受信機のセット、
のうちの少なくとも一方を示し及び／若しくは表わすデータ、を、送信する。当該データから、それぞれのセットのうちのそれぞれ１つ以上の送信機及び／若しくは受信機が少なくとも１回のＤ２Ｄ動作のために選択され及び／若しくは選択可能であり及び／若しくは好適であり及び／若しくは構成可能であってよく、並びに／又は、当該データは、それぞれのセットのうちのそれぞれどの１つ以上の送信機及び／若しくは受信機が少なくとも１回のＤ２Ｄ動作のために選択され及び／若しくは選択可能であり及び／若しくは好適であり及び／若しくは構成可能であり得るのかを示し及び／若しくは表す。代替的に又は追加で、当該データは、上記セットのうちのどの送信機が及び／又は上記セットのうちのどの受信機が、Ｄ２Ｄ動作のために構成され及び／又は選択され及び／又は使用されるのかを示し又は表わし得る。Ｄ２Ｄデバイス又はＵＥは、この送信のための送信モジュールを含み得る。送信機及び／若しくは受信機のセット並びに／又は対応する送受信機のセットは、Ｄ２Ｄデバイスの及び／又はＤ２Ｄデバイス上のセットであると考えられ得る。概して、Ｄ２Ｄデバイスは、Ｄ２Ｄ動作についての自身のケイパビリティ及び／又は自身の現在におけるセットアップに関して、１つ以上の他のデバイスへ通知し得る及び／又は通知するように適合され得る。
【００３６】
ステップ２（ＵＥ１）：少なくとも１回のＤ２Ｄ動作のために使用されるべき
−送信機のセットのうちの１つ以上の送信機、及び
−受信機のセットのうちの１つ以上の受信機、
のうちの少なくとも一方を決定する。
送信機及び／又は受信機のセットは、上述のセットであり得る。決定される送信機及び／又は受信機は、それぞれのセットのうちの、少なくとも１回のＤ２Ｄ動作のために選択され及び／又は選択可能であり及び／又は好適であり及び／又は構成可能であり得る送信機及び／又は受信機であり得る。決定される送信機及び／又は受信機及び／又はそれぞれのセットは、Ｄ２Ｄデバイス若しくはＵＥ上の及び／又はＤ２Ｄデバイス若しくはＵＥのものであり得る。Ｄ２Ｄ又はＵＥ（ＵＥ１）は、この決定のための決定モジュールを含み得る。決定することは、Ｄ２Ｄ動作のために決定された送信機及び／又は受信機を、そうした動作のために構成すること、を含み得る。
【００３７】
ステップ３（ＵＥ１）（任意選択）：少なくとも１回のＤ２Ｄ動作のために、決定された送信機及び／又は受信機のうちの少なくとも１つを使用する。Ｄ２Ｄデバイス又はＵＥ（ＵＥ１）は、この使用を実行するための使用モジュールを含み得る。
【００３８】
ステップ０ａ（ＵＥ１）、ステップ１ａ（ＵＥ１）、ステップ２ａ（ＵＥ１）、ステップ３ａ（ＵＥ１）−任意選択：上記に加えて、ステップ０（ＵＥ１）、ステップ１（ＵＥ１）、ステップ２（ＵＥ１）、及びステップ３（ＵＥ１）はいずれも、少なくとも１回の非Ｄ２Ｄ動作のために実行されるそれぞれ対応するステップ０ａ（ＵＥ１）、ステップ１ａ（ＵＥ１）、ステップ２ａ（ＵＥ１）、又はステップ３ａ（ＵＥ１）をさらに伴ってよい。
【００３９】
非Ｄ２Ｄ動作は、概して、セルラ動作及び／又は無線測定を含み得る。概して、ａのステップについては、対応するステップ、例えば上記ステップ０〜３のＤ２Ｄ動作に代えて、非Ｄ２Ｄ動作が行われる。
【００４０】
（第２の）Ｄ２Ｄデバイス若しくはＵＥ（ＵＥ２）を動作させるための方法、が考慮され、並びに／又は、以下のいずれか１つ若しくはいずれか１つの組み合わせを実行するために適合される（第２の）Ｄ２Ｄデバイス若しくはＵＥ、が考慮され得る。
【００４１】
ステップ１（ＵＥ２）（任意選択）：
−送信機のセット、及び
−受信機のセット、
のうちの少なくとも一方を示すデータ、を取得する。当該データから、それぞれのセットのうちのそれぞれ１つ以上の送信機及び／若しくは受信機が、別の（第１の）Ｄ２Ｄデバイス若しくはＵＥ（ＵＥ１）の及び／又はＵＥ１による少なくとも１回のＤ２Ｄ動作のために選択され及び／若しくは選択可能であり及び／若しくは好適であり及び／若しくは構成可能であってよく、並びに／又は、当該データは、それぞれのセットのうちのそれぞれどの１つ以上の送信機及び／若しくは受信機が、ＵＥ１の及び／又はＵＥ１による少なくとも１回のＤ２Ｄ動作のために選択され及び／若しくは選択可能であり及び／若しくは好適であり及び／若しくは構成可能であり得るのかを示し及び／若しくは表す。代替的に又は追加で、当該データは、上記セットのうちのどの送信機が及び／又は上記セットのうちのどの受信機が、他の（第１の）Ｄ２Ｄデバイス若しくはＵＥ（ＵＥ１）による及び／又はＵＥ１のＤ２Ｄ動作のために構成され及び／又は選択され及び／又は使用されるのかを示し又は表わし得る。（第２の）Ｄ２Ｄデバイス又はＵＥは、この取得のための取得モジュールを含み得る。送信機及び／若しくは受信機のセット並びに／又は対応する送受信機のセットは、他の（第１の）Ｄ２Ｄデバイス若しくはＵＥ（ＵＥ１）の及び／又はＵＥ１上のセットであると考えられ得る。
【００４２】
ステップ２（ＵＥ２）：少なくとも１回のＤ２Ｄ動作のために他の（第１の）Ｄ２Ｄデバイス又はＵＥ（ＵＥ１）により使用されるべき
−送信機のセットのうちの１つ以上の送信機、及び
−受信機のセットのうちの１つ以上の受信機、
のうちの少なくとも一方の決定において、ＵＥ１を支援する。（第２の）Ｄ２Ｄデバイス又はＵＥは、この支援のための支援モジュールを含み得る。
【００４３】
ステップ１ａ（ＵＥ２）、ステップ２ａ（ＵＥ２）−任意選択：上記に加えて、ステップ１（ＵＥ２）及びステップ２（ＵＥ２）はいずれも、少なくとも１回の非Ｄ２Ｄ動作のために実行されるそれぞれ対応するステップ１ａ（ＵＥ２）又はステップ２ａ（ＵＥ２）をさらに伴ってよい。
【００４４】
（第２の）Ｄ２Ｄデバイス又はＵＥ（ＵＥ２）は、概して、例えば取得のため及び／又は支援のために、例えばセルラ接続及び／又はＤ２Ｄ接続を介して、他の（第１の）Ｄ２Ｄデバイス又はＵＥ（ＵＥ１）との通信のために適合され及び／又は当該通信を行い得る。
【００４５】
ネットワークノードを動作させるための方法、及び／又は、次のいずれか１つ若しくはいずれか１つの組み合わせを実行するために適合されるネットワークノード、が考慮され得る。
【００４６】
ステップ１（ＮＷ）：
−送信機のセット、及び
−受信機のセット、
のうちの少なくとも一方を示すデータ、を取得する。当該データから、上記セットのうちのそれぞれ１つ以上の送信機及び／若しくは受信機が、少なくとも１回のＤ２Ｄ動作のために（第１の）Ｄ２Ｄデバイス若しくはＵＥ（ＵＥ１）のために及び／又はＵＥ１によって選択されてよく、並びに／又は、当該データは、上記セットのうちのそれぞれどの１つ以上の送信機及び／若しくは受信機が、少なくとも１回のＤ２Ｄ動作のためにＵＥ１のために及び／若しくはＵＥ１によって選択され得るのかを示し及び／若しくは表す。当該データは、それぞれのセットのうちのそれぞれどの１つ以上の送信機及び／又は受信機が、少なくとも１回のＤ２Ｄ動作のために選択され及び／又は選択可能であり及び／又は好適であり及び／又は構成可能であり得るのかを示し及び／又は表わし得る。代替的に又は追加で、当該データは、上記セットのうちのどの送信機が及び／又は上記セットのうちのどの受信機が、Ｄ２Ｄ動作のために構成され及び／又は選択され及び／又は使用されるのかを示し又は表わし得る。送信機及び／若しくは受信機のセット並びに／又は対応する送受信機のセットは、そのデータが関係し得る（第１の）Ｄ２Ｄデバイス若しくはＵＥ（ＵＥ１）の及び／又はＵＥ１上のセットであると考えられ得る。ネットワークノードは、この取得のための取得モジュールを含み得る。
【００４７】
ステップ２（ＮＷ）：ＵＥ１により、その少なくとも１回のＤ２Ｄ動作のために使用されるべき
−送信機のセットのうちの１つ以上の送信機、及び
−受信機のセットのうちの１つ以上の受信機、
のうちの少なくとも一方の決定において、ＵＥ１を支援する。ネットワークノードは、この支援のための支援モジュールを含み得る。
【００４８】
ステップ１ａ（ＮＷ）、ステップ２ａ（ＮＷ）−任意選択：上記に加えて、ステップ１（ＮＷ）及びステップ２（ＮＷ）はいずれも、少なくとも１回の非Ｄ２Ｄ動作のために実行されるそれぞれ対応するステップ１ａ（ＮＷ）又はステップ２ａ（ＮＷ）をさらに伴ってよい。
【００４９】
上記の概念及び方法により、Ｄ２Ｄ動作を実行するためのそのＲＦハードウェアリソース（例えば、受信機及び／又は送信機）の効率的な使用が可能になる。
【００５０】
ネットワークノードは、Ｄ２Ｄ動作のためにＤ２Ｄデバイス又はＵＥが使用することができるＲＦハードウェアリソース（例えば、受信機及び／又は送信機）を認識できるようになされ得る。ネットワークノードは、例えば関連した情報又はデータに基づいて、例えばＤ２Ｄ動作にとって適切なキャリア及び／又は帯域で、Ｄ２Ｄデバイス若しくはＵＥを構成し得る及び／又は構成するように適合され得る。
【００５１】
Ｄ２Ｄデバイス又はＵＥは、セルラ動作が（例えばサービングセル上での中断なしに）向上されるように又は少なくとも劣化しないように、１つ以上の現在使用されていない又は余っているＲＦハードウェアリソース（例えば、受信機及び／又は送信機）をＤ２Ｄ動作を実行するために再使用するように適合され得る。
【００５２】
Ｄ２Ｄデバイス又はＵＥは、電力消費が低減されるように、１つ以上の現在使用されていない又は余っているＲＦハードウェアリソース（例えば、受信機及び／又は送信機）をＤ２Ｄ動作を実行するために再使用するように適合され得る。
【００５３】
使用されるいくつかの一般概念は、以下を含む：
デバイスツーデバイス（Ｄ２Ｄ）。いくつかの例では、用語「Ｄ２Ｄ」及び「近接サービス（proximity  service）」（ＰｒｏＳｅ）は、さらには「ピアツーピア通信」も、互換可能に使用され得る。本明細書内のいくつかの実施形態におけるＤ２Ｄ  ＵＥ若しくはＤ２Ｄデバイス、又は互換可能に呼ばれるＵＥ、又はさらにはＤ２Ｄ対応型のＵＥは、直接的な無線リンク上で、即ちそれ自身と別のＤ２Ｄ対応型のエンティティとの間で、無線信号を少なくとも受信し又は送信することの可能ないかなるエンティティをも含んでよい。Ｄ２Ｄデバイスは、セルラＵＥ、ＰＤＡ、ワイヤレスデバイス、ラップトップ、移動体、センサ、リレー、Ｄ２Ｄリレー、又はさらにはＵＥのようなインタフェースを用いる小型の基地局、等であってもよく及び／又はそれらに含まれてもよい。Ｄ２Ｄデバイスは、少なくとも１回のＤ２Ｄ動作をサポートすることができる。
【００５４】
Ｄ２Ｄ動作は、Ｄ２Ｄに関連するいかなるアクション又はアクティビティをも含み、例えば、Ｄ２Ｄ目的のための信号／チャネルタイプを送信し又は受信すること、Ｄ２Ｄ通信によりデータを送信し又は受信すること、Ｄ２Ｄ目的のための制御データ又は支援データを送信し又は受信すること、Ｄ２Ｄのための制御データ又は支援データについてのリクエストを送信し又は受信すること、Ｄ２Ｄ動作モードを選択すること、Ｄ２Ｄ動作を開始／スタートすること、セルラ動作モードからＤ２Ｄ動作モードへ切り替えること、Ｄ２Ｄのための１つ以上のパラメータで受信機又は送信機を構成すること、を含んでもよい。Ｄ２Ｄ動作は、Ｄ２Ｄに関連するデータを使用した、商業目的のためのもの又は公共の安全をサポートするものであってもよい。Ｄ２Ｄ動作は、ある特定のＤ２Ｄサービスに特有のものであってもなくてもよい。
【００５５】
セルラ動作及びワイヤレスアクセスネットワーク（ＷＡＮ）動作は、本明細書では互換可能に使用され得る。
【００５６】
Ｄ２Ｄ受信動作（例えば、復号を伴って又は伴わずに、任意の信号又はチャネルを受信すること、キャリア周波数上若しくは特定のリソース上で又は特定のチャネル／信号について感知すること、等）は、１つの例ではＤ２Ｄ受信動作以外も伴い得るＤ２Ｄ動作に含まれ得る。
【００５７】
（ＵＥによる）セルラ動作は、セルラネットワーク（任意の１つ以上のＲＡＴ）に関連するいかなるアクション又はアクティビティをも含み得る。セルラ動作のいくつかの例は、無線信号送信、無線信号受信、無線測定の実行、セルラネットワークに関連するモビリティ動作又はＲＲＭの実行、であり得る。
【００５８】
Ｄ２Ｄ送信は、Ｄ２Ｄ動作におけるＤ２Ｄデバイスによるどのような送信であってもよい。Ｄ２Ｄ送信のいくつかの例は、専用又は共通／共用の、物理信号又は物理チャネル、例えば、リファレンス信号、同期信号、ディスカバリチャネル、制御チャネル、データチャネル、ブロードキャストチャネル、ページングチャネル、スケジューリング割り当て（ＳＡ）の送信、等である。ダイレクト無線リンク上のＤ２Ｄ送信は、別のＤ２Ｄデバイスによって受信されることが意図される。Ｄ２Ｄ送信は、ユニキャスト、グループキャスト、又はブロードキャストの送信であってよい。Ｄ２Ｄ送信は、ワイヤレス通信システムのアップリンク時間・周波数リソース上であってよい。
【００５９】
協調又は制御ノードは、セルラ送信及びＤ２Ｄ送信のうちの少なくとも１つのために使用されるべき時間・周波数リソースを、少なくとも部分的に、スケジューリングし、決定し、又は選択する、ネットワークノードであり得る。協調ノードは、別のＤ２Ｄデバイス、クラスタヘッド、ｅＮｏｄｅＢ等の無線ネットワークノード、又はネットワークノード（例えば、コアネットワークノード、ＭＭＥ、測位ノード、Ｄ２Ｄサーバ、ＲＮＣ、ＳＯＮ、等）といった別のノードへ、スケジューリング情報を提供してもよい。協調ノードは、無線ネットワークノードと通信し得る。また、協調ノードは、１つ以上のＤ２Ｄデバイス又はＵＥのための協調を実行してもよい。協調は、集中的に実行されてもよく、又は分散的に実行されてもよい。
【００６０】
無線スペクトル：複数の実施形態のうちの少なくともいくつかは、ＵＬスペクトル（ＦＤＤ）又はＵＬリソース（ＴＤＤ）におけるＤ２Ｄ送信について説明されるが、実施形態は、ＵＬ無線リソースの使用に限定されるわけではなく、ライセンスされたスペクトルにも未ライセンスのスペクトルにも、どの特定のスペクトルにも何ら限定されない。
【００６１】
セルラネットワークは、例えば、ＬＴＥネットワーク（ＦＤＤ又はＴＤＤ）、ＵＴＲＡネットワーク、ＣＤＭＡネットワーク、ＷｉＭＡＸ、ＧＳＭネットワーク、セルラ動作のために何らかの１つ以上の無線アクセス技術（ＲＡＴ）を用いる任意のネットワーク、を含み得る。本明細書における説明は、ＬＴＥについて与えられるが、ＬＴＥ  ＲＡＴに限定されるわけではない。
【００６２】
ＲＡＴ（無線アクセス技術）：例えば、ＬＴＥ  ＦＤＤ、ＬＴＥ  ＴＤＤ、ＧＳＭ、ＣＤＭＡ、ＷＣＤＭＡ、ＷｉＦｉ、ＷＬＡＮ、ＷｉＭＡＸ、等。
【００６３】
ネットワークノードは、無線ネットワークノード又は他のネットワークノードであり得る。無線ネットワークノードのいくつかの例は、無線基地局、中継ノード、アクセスポイント、クラスタヘッド、ＲＮＣ、等である。無線ネットワークノードは、ワイヤレス通信ネットワークに含まれ、セルラ動作もサポートし得る。無線ネットワークノードではないネットワークノードのいくつかの例は、コアネットワークノード、ＭＭＥ、ワイヤレスデバイスのモビリティを少なくとも部分的に制御するノード、ＳＯＮノード、Ｏ＆Ｍノード、測位ノード、サーバ、アプリケーションサーバ、（Ｄ２Ｄ関連の特徴のうちすべてではないがいくつかが可能であり得る）Ｄ２Ｄサーバ、ＰｒｏＳｅ機能を含むノード、ＰｒｏＳｅサーバ、外部ノード、又は、別のネットワークに含まれるノード、である。
【００６４】
マルチキャリア周波数は、同じ周波数帯域内の又は異なる周波数帯域内の、同じＰＬＭＮ内の又は異なるＰＬＭＮ内の、同じＲＡＴ内の又は異なるＲＡＴ内の、異なるキャリア周波数、のうちのいずれへの言及であってもよい。Ｄ２Ｄ動作は、専用のキャリア周波数上で行われても行われなくてもよい。ＦＤＤ内のＤＬ及びＵＬキャリア周波数も、異なるキャリア周波数の例である。本明細書における周波数帯域は、ＦＤＤ、ＴＤＤ、ＨＤ−ＦＤＤ、又はさらには単一方向のもの（例えば、いくつかの例では、Ｂａｎｄ２９といったＤＬ専用の帯域）であってもよい。
【００６５】
ＲＦ（無線周波数）リソース及び／又は回路は、概して、特に送信及び／又は受信のために、無線周波数信号を処理するために適合されるハードウェア及び／又はソフトウェア及び／又は回路への言及であってよい。ＲＦリソースは、１つ以上の送信機及び／若しくは１つ以上の受信機及び／若しくは１つ以上の送受信機、並びに／又は、例えば周波数ハンドリング／チューニング及び／若しくは電力供給／管理及び／若しくは変調／復調及び／若しくはフィルタリング等のための、好適な回路及び／若しくは機能性、を含み得る。
【００６６】
（第１の）Ｄ２Ｄデバイス若しくはＵＥ（ＵＥ１）を動作させるための、以下のいずれか１つ若しくはいずれかの組み合わせを含む方法、並びに／又は、以下のいずれか１つ若しくはいずれかの組み合わせを実行するために適合される対応するＤ２Ｄデバイス、が説明される。
ステップ０（ＵＥ１）（任意選択）：
−送信機のセット、及び
−受信機のセット、
のうちの少なくとも一方を示すデータ、を取得する。当該データから、それぞれ１つ以上の送信機及び／又は受信機が、少なくとも１回のＤ２Ｄ動作のために選択され得る。Ｄ２Ｄデバイス又はＵＥ（ＵＥ１）は、この取得を実行するための取得モジュールを含み得る。
【００６７】
代替的に、ステップ０（ＵＥ１）（任意選択）は、
−送信機のセット、及び
−受信機のセット、
のうちの少なくとも一方を示す及び／表わすデータ、を取得すること、を含み得る。当該データから、それぞれのセットのうちの１つ以上の送信機及び／若しくは受信機が少なくとも１回のＤ２Ｄ動作のために選択され及び／若しくは選択可能であり及び／若しくは好適であり及び／若しくは構成可能であってよく、並びに／又は、当該データは、それぞれのセットのうちのどの１つ以上の送信機及び／若しくは受信機が少なくとも１回のＤ２Ｄ動作のために選択され及び／若しくは選択可能であり及び／若しくは好適であり及び／若しくは構成可能であり得るのかを示し若しくは表す。代替的に又は追加で、当該データは、上記セットのうちのどの送信機が並びに／又は上記セット及び／若しくは複数セットのうちのどの受信機が、Ｄ２Ｄ動作のために構成され及び／又は選択され及び／又は使用されるのかを示し又は表わし得る。Ｄ２Ｄデバイス又はＵＥは、この取得のための取得モジュールを含み得る。送信機及び／若しくは受信機のセット並びに／又は対応する送受信機のセットは、Ｄ２Ｄデバイスの及び／又はＤ２Ｄデバイス上のセットであると考えられ得る。
【００６８】
ステップ１（ＵＥ１）（任意選択）：別のノードへ、
−送信機のセット、及び
−受信機のセット、
のうちの少なくとも一方を示すデータ、を送信する。当該データから、それぞれ１つ以上の送信機及び／又は受信機が少なくとも１回のＤ２Ｄ動作のために選択され得る。Ｄ２Ｄデバイス又はＵＥ（ＵＥ１）は、この送信を実行するための送信モジュールを含み得る。
追加で又は代替的に、以下が考慮され得る。
【００６９】
ステップ１（ＵＥ１）（任意選択）：別のノード及び／又はデバイスへ、取得されたデータ、並びに／又は、
−送信機のセット、及び
−受信機のセット、
のうちの少なくとも一方を示し及び／若しくは表わすデータ、を送信する。当該データから、それぞれのセットのうちの１つ以上の送信機及び／若しくは受信機が少なくとも１回のＤ２Ｄ動作のために選択され及び／若しくは選択可能であり及び／若しくは好適であり及び／若しくは構成可能であってよく、並びに／又は、当該データは、それぞれのセットのうちのどの１つ以上の送信機及び／若しくは受信機が、少なくとも１回のＤ２Ｄ動作のために選択され及び／若しくは選択可能であり及び／若しくは好適であり及び／若しくは構成可能であり得るのかを示し及び／若しくは表す。代替的に又は追加で、当該データは、上記セットのうちのどの送信機が及び／又は上記セットのうちのどの受信機が、Ｄ２Ｄ動作のために構成され及び／又は選択され及び／又は使用されるのかを示し又は表わし得る。Ｄ２Ｄデバイス又はＵＥ（ＵＥ１）は、この送信のための送信モジュールを含み得る。送信機及び／若しくは受信機のセット並びに／又は対応する送受信機のセットは、Ｄ２Ｄデバイスの及び／又はＤ２Ｄデバイス上のセットであると考えられ得る。概して、Ｄ２Ｄデバイスは、Ｄ２Ｄ動作についての自身のケイパビリティ及び／又は自身の現在におけるセットアップに関して、１つ以上の他のデバイスへ通知し得る及び／又は通知するように適合され得る。
【００７０】
ステップ２（ＵＥ１）：少なくとも１回のＤ２Ｄ動作のために使用されるべき
−送信機のセットのうちの１つ以上の送信機、及び
−受信機のセットのうちの１つ以上の受信機、
のうちの少なくとも一方を決定する。Ｄ２Ｄデバイス又はＵＥ（ＵＥ１）は、この決定を実行するための決定モジュールを含み得る。
【００７１】
代替的に又は追加で、以下が考えられ得る。
ステップ２（ＵＥ１）：少なくとも１回のＤ２Ｄ動作のために使用されるべき
−送信機のセットのうちの１つ以上の送信機、及び
−受信機のセットのうちの１つ以上の受信機、
のうちの少なくとも一方を決定する。
【００７２】
送信機及び／又は受信機のセットは、上述のセットであり得る。決定される送信機及び／又は受信機は、それぞれのセットのうちの、少なくとも１回のＤ２Ｄ動作のために選択され及び／又は選択可能であり及び／又は好適であり及び／又は構成可能であり得る送信機及び／又は受信機であり得る。決定される送信機及び／又は受信機及び／又はそれぞれのセットは、Ｄ２Ｄデバイス若しくはＵＥ上の及び／又はＤ２Ｄデバイス若しくはＵＥのものであり得る。
【００７３】
Ｄ２Ｄ又はＵＥ（ＵＥ１）は、この決定のための決定モジュールを含み得る。決定することは、Ｄ２Ｄ動作のために決定された送信機及び／又は受信機を、そうした動作のために構成すること、を含み得る。
【００７４】
ステップ３（ＵＥ１）（任意選択）：少なくとも１回のＤ２Ｄ動作のために、決定された送信機及び／又は受信機を使用する。Ｄ２Ｄデバイス又はＵＥ（ＵＥ１）は、この使用を実行するための使用モジュールを含み得る。
【００７５】
ステップ０ａ（ＵＥ１）、ステップ１ａ（ＵＥ１）、ステップ２ａ（ＵＥ１）、ステップ３ａ（ＵＥ１）−任意選択：上記に加えて、ステップ０（ＵＥ１）、ステップ１（ＵＥ１）、ステップ２（ＵＥ１）、及びステップ３（ＵＥ１）はいずれも、少なくとも１回の非Ｄ２Ｄ動作のために実行されるそれぞれ対応するステップ０ａ（ＵＥ１）、ステップ１ａ（ＵＥ１）、ステップ２ａ（ＵＥ１）、又はステップ３ａ（ＵＥ１）をさらに伴ってよい。
【００７６】
概して、取得されるデータ、特に、
−送信機のセット、及び
−受信機のセット、
のうちの少なくとも一方を示すデータであって、当該データから、少なくとも１回のＤ２Ｄ動作のためにそれぞれ１つ以上の送信機及び／若しくは受信機が選択されてよく、並びに／又は、どの送信機及び／若しくは受信機がＤ２Ｄ動作のために選択され得るのかを示し若しくは表わすデータ、は、例えば次のうちのいずれか１つ以上をさらに含み得る：
・（例えば、識別情報、アンテナポート等によって示される）選択可能な送信機及び／又は受信機の明示的なセット、
・送信機及び／又は受信機の選択可能なセットに関連付けられ得るデータ、例えば：
−キャリア周波数又は周波数帯域の１つ又は複数、例えば：
−ＵＥ１は、キャリア周波数ｆ２上での自身のＤ２Ｄ動作のために、キャリア周波数（ｆ１、ｆ２、ｆ３）又は（ｆ１、ｆ３）のために使用され得る送信機及び／又は受信機を選択してよく、ここで、（ｆ１、ｆ２、ｆ３）及び（ｆ１、ｆ３）は、選択可能な送信機及び／又は受信機に関連付けられる周波数のセットである、
−ＲＡＴ、
−帯域幅、システム帯域幅、測定帯域幅、チャネル帯域幅、送信帯域幅、
−送信機のＲＦ特性（例えば、輻射、ｔｘフィルタ構成）、
−受信機のＲＦ特性（例えば、感度、スプリアス応答、ｒｘフィルタ構成）、
−選択可能な送信機及び／又は受信機が満たすべき条件、
−選択された送信機及び／又は受信機を使用してＵＥが満たす必要のある要件又は性能目標、例えば：
−自身のＤ２Ｄ動作のために、ＵＥ１は、ＰＣｅｌｌ上の中断が最小化されるように又は生じないように、任意の送信機及び／又は受信機（Ｄ２Ｄ動作のために必要とされるものはどれでも）を選択してよい。
−Ｄ２Ｄ動作又はＤ２Ｄサービスのタイプ、例えば、Ｄ２Ｄディスカバリ、Ｄ２Ｄ通信、等。
−ＵＬ及び／又はＤＬで、Ｄ２Ｄ動作のために及びセルラ動作（別名、ワイヤレスアクセスネットワーク（ＷＡＮ）動作）のために使用されるキャリア周波数同士及び／又は周波数帯域同士の関係。
【００７７】
上記のうちのいずれかと送信機及び／又は受信機それぞれとの間の関連付けは、Ｄ２Ｄデバイス又はＵＥ又はネットワークノードにおいて行われ得る。それは、予め定義されるか若しくは（例えば、静的に、半静的に、若しくは動的に）構成可能であってよく、並びに／又は、それは、送信機及び／若しくは受信機の利用可能性にも依存し得る。１つの例において、いくつかの受信機及び／又は送信機が特定の１つの周波数帯域のためにのみ、常に又はほぼ常に使用されてもよい。別の例において、いくつかの受信機及び／又は送信機が、例えば以下に依存して、上記と動的に関連付けられてもよい：
・Ｄ２Ｄデバイス又はＵＥ（ＵＥ１）によってその時点で使用されている別の受信機及び／又は送信機、並びにそれが使用されているＲＦ構成、
・Ｄ２Ｄデバイス若しくはＵＥによってサポートされるＣＡのタイプ（例えば、イントラバンド連続ＣＡ（intra-band  contiguous  CA）若しくはインターバンドＣＡ（inter-band  CA））、又は、その（例えばＵＥ１の）インター周波数構成、
・Ｄ２Ｄ動作及び／又は非Ｄ２Ｄ動作のためにＤ２Ｄデバイス又はＵＥ（ＵＥ１）が満たす必要があり得る要件又は性能品質（例えば、別のキャリア上でＤ２Ｄを実行している間に、ＰＣｅｌｌ上でもどのサービングセルにおいても中断を生じさせないこと、又は、許容される中断が閾値を超えてはならないこと）。中断（別名、グリッチ）中、Ｄ２Ｄデバイス又はＵＥは、例えばＰＣｅｌｌといったサービングセルへ信号を送信し得ず及び／又はサービングセルから信号を受信し得ない。
・ＣＡ構成  例えば、周波数の組み合わせ、帯域の組み合わせ、帯域幅の組み合わせ、ＵＥによってサポートされるＣＡにおけるＵＬ及び／又はＤＬのＣＣの数。
【００７８】
また別の例では、例えば条件を満足する及び／又は選択され得る送信機及び／又は受信機がない場合、セットは、空のセットであり得る。また別の例では、セットは、例えばプリファレンスに基づいて降順に順序づけられた又はソートされたセットで有り得る。
【００７９】
取得する方法（ステップ０／０ａ）を以下に説明する。
送信機及び／又は受信機のセットを示すデータは、Ｄ２Ｄデバイス又はＵＥ（ＵＥ１）により、１つ以上のやり方で取得され得る。例えば：
データは、予め定義され及び／又は読み取られ得る、例えば、データは、Ｄ２Ｄデバイスの制御回路の及び／又は制御回路によりアクセス可能なメモリ内に記憶される；
別のＤ２Ｄデバイス若しくはＵＥ又はネットワークノードから、例えばＤ２Ｄ動作及び／又はセルラ動作を介して受信される；
例えば、Ｄ２Ｄデバイス又はＵＥ（ＵＥ１）に関する記憶されているＣＡケイパビリティ情報、Ｄ２Ｄデバイス又はＵＥのＲＦアーキテクチャに基づいて、測定値に基づいて、等、Ｄ２Ｄデバイス又はＵＥ（ＵＥ１）によって自律的に決定される
外部のメモリ又は内部のメモリから読み取られる、
予め定義されたルールに基づいて決定される。
【００８０】
送信する方法（ステップ１／１ａ）を以下に説明する。Ｄ２Ｄデバイス又はＵＥ（ＵＥ１）は、少なくとも１つの取得されたセット及び／又は、本明細書で説明されるように取得されるデータであり得る対応するデータを、より上位の及び／又はより下位のレイヤのシグナリング及び／又はＤ２Ｄ動作及び／又はセルラ動作を介して、別のノード（例えば、別のＤ２Ｄデバイス若しくはＵＥ又はネットワークノード）へ送信し得る及び／又は送信するように適合され得る。情報は、Ｄ２Ｄデバイスの又はＵＥの無線アクセスケイパビリティに関する情報又はデータの一部として、別のノード又はＤ２Ｄデバイスへ送信され得る。情報は、任意のＲＲＣ状態で別のノード（例えば、別のＤ２Ｄデバイス若しくはＵＥ又はネットワークノード）へ、又はさらにはカバレッジ外の状態でも別のＤ２Ｄデバイス又はＵＥへ、送信され得る。ここで、カバレッジ外とは、Ｄ２Ｄデバイス（ＵＥ１）がセルラネットワークによって接続されていない及び／又は接続可能ではない及び／又はカバーされていない状態をいう。
【００８１】
送信は、自発的に行われるか、或いは、別のノードからのリクエスト、イベント、トリガ、又は、例えばセルの変更後若しくはハンドオーバ後若しくは信号品質が閾値を下回ったとき等の条件、に応じて行われ得る。
【００８２】
例は以下を含む：
・Ｄ２Ｄデバイス（ＵＥ１）は、「Ｂｘ」で示される周波数帯域における自身の動作のために、例えば「Ｂｙ」で示される帯域といった周波数帯域のいずれかで動作可能な送信機及び／又は受信機を選択し得る：
−（Ｂ２，（Ｂ１，Ｂ２，Ｂ３））  ここで、Ｂｘ＝Ｂ２、Ｂｙ＝（Ｂ１，Ｂ２，Ｂ３）
・ＵＥ１は、キャリア周波数Ｆｘにおける自身の動作のために、キャリア周波数Ｆｙのいずれかで動作可能な送信機及び／又は受信機を選択し得る：
−（ｆ２，（ｆ１，ｆ２，ｆ３），（ｆ４、［要件］））  ここで、ｆ４についての予め定義され及び特定された要件を満たしつつ、Ｆｘ＝ｆ２、Ｆｙ＝（ｆ１，ｆ２，ｆ３）である。
【００８３】
決定する方法（ステップ２／２ａ）を以下に説明する。ステップ２は、以下を含み得る：
ステップ２＿１：送信機及び／又は受信機の少なくとも１つのセットを、当該セットを示すデータ並びに／又は選択可能な送信機及び／若しくは受信機を示すデータに基づいて決定する。例えば、当該データに含まれる明示的なリストを読み取る、若しくは、当該データに暗に関連付けられているセットを決定する、並びに／又は、当該データに基づいて、特に当該データ内のプリファレンス若しくはプライオリティのリストに従って決定する；及び／又は
ステップ２＿２：少なくとも１つの送信機及び／又は受信機を、対応するセットのうちから決定する。
【００８４】
Ｄ２Ｄデバイス又はＵＥ（ＵＥ１）は、１つ以上の送信機及び／又は受信機を、対応するセットのうちから、例えば以下のうちのいずれか１つ以上といった１つ以上のやり方で決定するように適合され得る及び／又は決定する：
・ランダムに又は擬似ランダムに、
・セット内の送信機及び／又は受信機の順番に基づいてセットのうちの１つ、例えばセットのうちの最初のもの又はセットのうちの最後のもの、を選択する／決定する、
・その時点で使用中のうち最も近いものから物理的に最も大きく離れているもの、を選択する／決定する、
・最も良好な性能が期待されるもの（例えば、他のキャリア上でのＵＥ１の性能に全く影響を及ぼさないか及ぼす影響が最も小さいもの）を選択する／決定する。例えば、ＵＥ１がＤ２Ｄ動作のためにそれを使用するときにサービングセル上の信号の中断が確実にないようにするもの、又は、ＵＥ１がＤ２Ｄ動作のためにそれを使用するときにサービングセル上の信号の中断が確実に最小になるようにするもの。例えば、最小の中断時間は、スロット１つ分又はサブフレーム１つ分であることができ、より長い中断時間は、サブフレーム４〜５個分であることができる。
・セットのうち、電力消費が最小になるであろうもの、例えば、ＵＬ及び／又はＤＬキャリア又は帯域において、サービングセルが構成されているのと同じチップに属するもの、を選択する／決定する。
−１つの実施形態では、選択／決定は、常に適用されるか、又は、例えば低電力モード若しくは省電力モードといった特定のＵＥモード動作において適用され得る
・セットのうち、Ｄ２Ｄデバイス若しくはＵＥ（ＵＥ１）によって使用されていないもの、又は、ＵＬ及び／若しくはＤＬにおいてセルラ動作のための無線測定を実行しているもの、を選択する／決定する。
・同期の局面に基づいて選択する／決定する、例えば、いくつかの送信機／受信機は、何らかの参照クロック又は参照タイミング又はターゲット周波数に既に時間及び／若しくは周波数同期されているかもしれない［このため、Ｄ２Ｄデバイス又はＵＥ（ＵＥ１）は、所望の同期を達成するために時間及びリソースを消費する必要がない］、いくつかの送信機／受信機は、他のものよりもより良好な同期又はより良好なタイミング精度を達成し得る、等。
・候補の送信機／受信機を使用するために必要とされる切り替え時間又は（再）チューニング時間に基づいて選択する／決定する、例えば、いくつかの送信機／受信機は、同じキャリア上で最近使用されていたかもしれず、そのため、使用できるようになるまでにより少ないチューニングで済むであろう、等。
・選択されるべき送信機及び／又は受信機が必要とされる時間（例えば、残り時間及び／又はそれがどのぐらいの間使用されるか）に基づいて選択する／決定する
・どのぐらい速く選択を行うことができ且つ選択された送信機及び／又は受信機が使用のために利用可能にされることができるか、に基づいて選択する／決定する
・上記のうちの任意の組み合わせ、ここで、異なる選択／決定のタイプは、例えば、それらのプライオリティに従って、予め定義された又は動的に決定される順序に従って、Ｄ２Ｄデバイス若しくはＵＥの構成又は別のノードからの構成に従って、予め定義されたルールに基づいて、等、様々なやり方で組み合わせられ得る。
【００８５】
上記のいずれの選択／決定モードもそれらの組み合わせも、１つ以上の送信機及び／又は受信機を選択するために適用されてよい。１つの選択／決定モードによる選択／決定は、いくつかの例では、送信機及び／又は受信機の所定の数Ｎ（例えば、Ｎ＝１、Ｎ＝２、等）に制限される場合もある（例えば、「順序づけられたシーケンスのうちの最初のものを取り出す」という選択アプローチによれば、Ｎ＝１よりも多い受信機を選択することはできない）；Ｎは、予め定義されたルールに基づいて静的に又は動的に構成され又は決定され得る。
【００８６】
使用中の（occupied）送信機及び／又は受信機を選択する／決定することを以下に説明する。Ｄ２Ｄデバイス又はＵＥは、ある派生では、セルラ動作又は他の非Ｄ２Ｄ動作のために使用されている１つ若しくは複数の送信機及び／若しくは受信機を決定するように適合され並びに／又は決定し若しくは使用し、必要であれば、それに応じて、セルラ動作のために送信機及び／又は受信機を再選択し得る。
【００８７】
１つの実施形態では、選択された及び／又は決定された送信機及び／又は受信機が非Ｄ２Ｄ動作のために既に使用されていれば（それでもＤ２Ｄ動作のために選択可能であれば）、ＵＥ１は、Ｄ２Ｄ動作のためにその送信機及び／又は受信機をそれでも決定し又は選択する（及びさらに使用する）かもしれない。しかしながら、必要であれば（例えば、Ｄ２Ｄ動作と非Ｄ２Ｄ動作とのためにその送信機及び／若しくは受信機の使用を時間的に共有できない場合並びに／又は１つの動作タイプのためにのみ使用されねばならない場合）、ＵＥ１は、送信機及び／又は受信機がＤ２Ｄ動作と非Ｄ２Ｄ動作とのために時間的に共用され得る場合を除いて、非Ｄ２Ｄ動作のために別の送信機及び／又は受信機をそれぞれ決定し又は選択し得る。
【００８８】
別の実施形態では、その後、ＵＥは、非Ｄ２Ｄ動作及び／若しくは元の動作のために送信機及び／若しくは受信機を決定し、並びに／又は、Ｄ２Ｄ動作のために「借りられた」送信機及び／若しくは受信機を、例えばそれがＤ２Ｄのためにそれ以上使われなくなると、又は非Ｄ２Ｄ動作のためにより必要とされると、又は「借りる」ことのできる何らかの時間が過ぎると、「返却」し得る。
【００８９】
また別の実施形態では、送信機及び／又は受信機が非Ｄ２Ｄ動作のために既に使用されているとき、Ｄ２Ｄ動作が非Ｄ２Ｄ動作よりもプライオリティが高い場合に限り、ＵＥ１はその送信機及び／又は受信機をＤ２Ｄのために決定し若しくは選択するように適合され得る並びに／又は決定し若しくは選択してよい。
【００９０】
使用する方法（ステップ３／３ａ）を以下に説明する。決定された又は選択された送信機及び／又は受信機は、例えば、ＵＥ１のＤ２Ｄ動作中に少なくとも１つの無線信号をそれぞれ送信し又は受信するために使用され得る。
【００９１】
例えば、選択された又は決定された受信機を使用して受信された信号に基づいて、例えば、ＵＥ１は、その自律的な使用のための測定を、又は、実行された測定についての別のノード（例えば、別のＵＥ又はネットワークノード）への報告を、さらに実行し得る。
【００９２】
測定／送信／受信は、セルラ動作及び／又はＤ２Ｄ動作について、一般的な目的又は特定の目的のために実行され得る。例えば：
ＲＲＭ  別名、モビリティ測定  例えば、Ｄ２Ｄ信号に対する又はＤ２Ｄ動作目的のための、ＲＳＲＰ測定、ＲＳＲＱ測定
ＲＬＭ  例えば、セルラ動作及び／又はＤ２Ｄ動作についての非同期及び同期の検出。
測位  例えば、ＲＳＴＤ、ＵＥ  Ｒｘ−Ｔｘ時間差測定、他のタイミング測定、電力ベースの測定、フィンガープリンティング又はパターンマッチングのために使用される測定、等
ブロードキャスト測定  例えば、ＭＢＭＳ及び、ＭＢＭＳ同様の測定（例えば、ＭＢＳＦＮ  ＲＳＲＰ／ＲＳＲＱ、ＭＣＨ  ＢＬＥＲ）、等。
ＭＤＴ  例えば、ＲＳＲＰ測定、ＲＳＲＱ測定、インターＲＡＴ測定、例えばＣＰＩＣＨ  ＲＳＣＰ、ＣＰＩＣＨ  Ｅｃ／Ｎｏ、ＧＳＭキャリアＲＳＳＩ、等。
ＳＯＮ  例えば、システム情報（ＭＩＢ、ＳＩＢ等）の読み取り
キャリアセンシング  例えば、特定のリソースに対するＲＳＳＩ測定又は干渉推定、等。
Ｄ２Ｄ動作のためのキャリア選択
チャネル推定  例えば、リファレンス信号ＳＩＮＲ
リンク適合  例えば、ＢＬＥＲ、ＳＮＲ、ＳＩＮＲ、等。
電力制御  例えば、パス損失、ＳＩＮＲ、ＳＮＲ、等。
干渉調整  例えば、ＳＮＲ、ＳＩＮＲ、等。
Ｄ２Ｄデータ及び／又は制御情報の受信／送信、これは以下も含み得る：
Ｄ２Ｄデータ及び／又は制御情報の復調又は復号  例えば、ＰＤＳＣＨ復調、及び／又は、割り当てデータの復号／復調。
【００９３】
第２のＵＥにおける方法を以下に説明する。第２のＤ２Ｄデバイス若しくはＵＥ（ＵＥ２）を動作させるための、以下のいずれか１つ若しくはいずれかの組み合わせを含む方法、並びに／又は、以下のいずれか１つ若しくはいずれかの組み合わせを実行するために適合される第２のＤ２Ｄデバイス若しくはＵＥ（ＵＥ２）、が説明される。
【００９４】
ステップ１（ＵＥ２）（任意選択）：
−送信機のセット、及び
−受信機のセット、
のうちの少なくとも一方を示すデータ、を取得する。当該データから、それぞれ１つ以上の送信機及び／又は受信機がＵＥ１のために、その少なくとも１回のＤ２Ｄ動作のために選択され得る。ＵＥ２は、この取得を実行するための取得モジュールを含み得る。
【００９５】
追加で又は代替的に、以下も考えられ得る：
ステップ１（ＵＥ２）（任意選択）：
−送信機のセット、及び
−受信機のセット、
のうちの少なくとも一方を示すデータ、を取得する。当該データから、それぞれのセットのうちの１つ以上の送信機及び／若しくは受信機が、別の（第１の）Ｄ２Ｄデバイス若しくはＵＥ（ＵＥ１）の及び／又はＵＥ１による少なくとも１回のＤ２Ｄ動作のために選択され及び／若しくは選択可能であり及び／若しくは好適であり及び／若しくは構成可能であってよく、並びに／又は、当該データは、それぞれのセットのうちのどの１つ以上の送信機及び／若しくは受信機が、ＵＥ１の及び／又はＵＥ１による少なくとも１回のＤ２Ｄ動作のために選択され及び／若しくは選択可能であり及び／若しくは好適であり及び／若しくは構成可能であり得るのかを示し及び／若しくは表す。
【００９６】
代替的に又は追加で、当該データは、上記セットのうちのどの送信機が及び／又は上記セットのうちのどの受信機が、他の（第１の）Ｄ２Ｄデバイス又はＵＥ（ＵＥ１）による及び／又はＵＥ１のＤ２Ｄ動作のために構成され及び／又は選択され及び／又は使用されるのかを示し又は表わし得る。
【００９７】
（第２の）Ｄ２Ｄデバイス又はＵＥは、この取得のための取得モジュールを含み得る。送信機及び／若しくは受信機のセット並びに／又は対応する送受信機のセットは、他の（第１の）Ｄ２Ｄデバイス又はＵＥ（ＵＥ１）の及び／又はＵＥ１上のセットであると考えられ得る。
【００９８】
ステップ２（ＵＥ２）：ＵＥ１により、その少なくとも１回のＤ２Ｄ動作のために使用されるべき
−送信機のセットのうちの１つ以上の送信機、及び
−受信機のセットのうちの１つ以上の受信機、
のうちの少なくとも一方の決定において、ＵＥ１を支援する。ＵＥ２は、この決定のための支援モジュールを含み得る。
【００９９】
ステップ１ａ（ＵＥ２）、ステップ２ａ（ＵＥ２）−任意選択：上記に加えて、ステップ１（ＵＥ２）及びステップ２（ＵＥ２）はいずれも、少なくとも１回の非Ｄ２Ｄ動作のために実行されるそれぞれ対応するステップ１ａ（ＵＥ２）又はステップ２ａ（ＵＥ２）をさらに伴ってよい。
【０１００】
データを取得する方法（ステップ１／１ａ（ＵＥ２））を以下に説明する。
送信機及び／又は受信機のセットを示すデータ（いくつかの例についてのＵＥ１における方法及び、定義も参照）は、ＵＥ２によって、１つ以上のやり方で取得され得る。例えば：
・予め定義され得る、
・ＵＥ１若しくは別のＵＥ又はネットワークノードから受信される、
・例えば、記憶されているＤ２Ｄデバイス又はＵＥのＣＡケイパビリティ情報、Ｄ２Ｄデバイス又はＵＥのＲＦアーキテクチャに基づいて、測定値に基づいて、等、ＵＥ２によって自律的に決定される、
・外部のメモリ又は内部のメモリから読み取られる、
・予め定義されたルールに基づいて決定される。
【０１０１】
ＵＥ１を支援するＵＥ２（ステップ２／２ａ（ＵＥ２））を以下に説明する。
本明細書において、ＵＥ１のための送信機及び／又は受信機のうちの少なくとも１つの決定において（第２の）Ｄ２Ｄデバイス又はＵＥ（ＵＥ２）によって実行される支援は、例えば以下をさらに含み得る：
・送信機及び／又は受信機のセットのうちの少なくとも１つを示すデータをＵＥ１へ送信すること、
・送信機及び／又は受信機のセットのうちの少なくとも１つをＵＥ１へ送信すること、
・１つ以上の送信機及び／又は受信機を対応するセットのうちから選択し、選択した送信機及び／又は受信機をＵＥ１へシグナリングすること、
・送信機及び／又は受信機のセットのうちの少なくとも１つをＵＥ１へ送信すること、
・送信機及び／又は受信機のセットのうちの少なくとも１つを示すデータを、ＵＥ１から別のＤ２Ｄデバイス若しくはＵＥへ又はネットワークノードへ中継し又は転送すること、
・送信機及び／又は受信機のセットのうちの少なくとも１つを、ＵＥ１から別のＤ２Ｄデバイス若しくはＵＥへ又はネットワークノードへ中継し又は転送すること、
・送信機及び／又は受信機のセットのうちの少なくとも１つを示すデータを、別のＤ２Ｄデバイス若しくはＵＥから又はネットワークノードからＵＥ１へ中継し又は転送すること、
・送信機及び／又は受信機のセットのうちの少なくとも１つを、別のＤ２Ｄデバイス若しくはＵＥから又はネットワークノードからＵＥ１へ中継し又は転送すること。
例（ＵＥ１についての方法における例も参照）：
・ＵＥ１は、周波数帯域「Ｂｘ」における自身の動作のために、周波数帯域「Ｂｙ」のいずれかで動作可能な送信機及び／又は受信機を選択し得る：
−（Ｂ２，（Ｂ１，Ｂ２，Ｂ３））  ここで、Ｂｘ＝Ｂ２、Ｂｙ＝（Ｂ１，Ｂ２，Ｂ３）
・ＵＥ１は、キャリア周波数Ｆｘにおける自身の動作のために、キャリア周波数Ｆｙのいずれかで動作可能な送信機及び／又は受信機を選択し得る：
−（ｆ２，（ｆ１，ｆ２，ｆ３），（ｆ４，［要件］））  ここで、ｆ４についての予め定義された特定の要件を満たしつつ、Ｆｘ＝ｆ２、Ｆｙ＝（ｆ１，ｆ２，ｆ３）である。
【０１０２】
ネットワークノードにおける方法を以下に説明する。ネットワークノードのいくつかの例は、ｅＮｏｄｅＢ、協調ノード、ＰｒｏＳｅ／Ｄ２Ｄサーバ、である。
本明細書において、ネットワークノード（ＮＷ）を動作させるための、以下のいずれか１つ若しくはいずれかの組み合わせを含む方法、並びに／又は、以下のいずれか１つ若しくはいずれかの組み合わせを実行するために適合されるネットワークノード（ＮＷ）、が説明される：
ステップ１（ＮＷ）：
−送信機のセット、及び
−受信機のセット、
のうちの少なくとも一方を示すデータ、を取得する。当該データから、それぞれ１つ以上の送信機及び／又は受信機が、ＵＥ１のためにその少なくとも１回のＤ２Ｄ動作のために選択され得る。ネットワークノードは、この取得を実行するための取得モジュールを含み得る。
【０１０３】
代替的に又は追加で、以下が考えられ得る。
ステップ１（ＮＷ）：
−送信機のセット、及び
−受信機のセット、
のうちの少なくとも一方を示すデータ、を取得する。当該データから、それぞれのセットのうちの１つ以上の送信機及び／若しくは受信機が、少なくとも１回のＤ２Ｄ動作のために（第１の）Ｄ２Ｄデバイス若しくはＵＥ（ＵＥ１）のために及び／若しくはＵＥ１によって選択されてよく、並びに／又は、当該データは、それぞれのセットのうちのどの１つ以上の送信機及び／若しくは受信機が、少なくとも１回のＤ２Ｄ動作のためにＵＥ１のために及び／若しくはＵＥ１によって選択され得るのかを示し及び／若しくは表す。当該データは、それぞれのセットのうちのそれぞれどの１つ以上の送信機及び／又は受信機が、少なくとも１回のＤ２Ｄ動作のために選択され及び／又は選択可能であり及び／又は好適であり及び／又は構成可能であるのかを示し及び／又は表わし得る。代替的に又は追加で、当該データは、上記セットのうちのどの送信機が及び／又は上記セットのうちのどの受信機が、Ｄ２Ｄ動作のために構成され及び／又は選択され及び／又は使用されるのかを示し又は表わし得る。送信機及び／若しくは受信機のセット並びに／又は対応する送受信機のセットは、そのデータが関係し得る（第１の）Ｄ２Ｄデバイス若しくはＵＥ（ＵＥ１）の及び／又はＵＥ１上のセットであると考えられ得る。ネットワークノードは、この取得のための取得モジュールを含み得る。
【０１０４】
ステップ２（ＮＷ）：ＵＥ１によってその少なくとも１回のＤ２Ｄ動作のために使用されるべき
−送信機のセットのうちの１つ以上の送信機、及び
−受信機のセットのうちの１つ以上の受信機、
のうちの少なくとも一方の決定において、ＵＥ１を支援する。
【０１０５】
ステップ１ａ（ＮＷ）、ステップ２ａ（ＮＷ）−任意選択：上記に加えて、ステップ１（ＮＷ）及びステップ２（ＮＷ）はいずれも、少なくとも１回の非Ｄ２Ｄ動作のために実行されるそれぞれ対応するステップ１ａ（ＮＷ）又はステップ２ａ（ＮＷ）をさらに伴ってよい。
【０１０６】
データを取得する方法（ステップ１／１ａ（ＮＷ））を以下に説明する。送信機及び／又は受信機のセットを示すデータ（いくつかの例についてのＵＥ１／ＵＥ２における方法及び、定義も参照）は、ＮＷによって、１つ以上のやり方で取得され得る。例えば：
・予め定義され得る、
・ＵＥ１又は別のＤ２Ｄデバイス若しくはＵＥ又はネットワークノードから受信される、
・例えば、ＵＥ１の送信機及び／又は受信機についての履歴データに基づいて、測定値に基づいて、ＮＷによって自律的に決定される、
・外部のメモリ又は内部のメモリから読み取られる、
・予め定義されたルールに基づく、
・例えば、ＣＡで構成されたときにＤ２Ｄデバイス又はＵＥがそれにわたって中断を生じさせないＲＦ帯域幅といった、Ｄ２Ｄデバイス又はＵＥのＲＦアーキテクチャについての情報に暗黙的に基づく。
【０１０７】
ＵＥ１を支援する方法（ステップ２／２ａ（ＮＷ））を以下に説明する。本明細書において、送信機及び／又は受信機のうちの少なくとも１つの決定においてネットワークノードによってＵＥ１を支援することは、例えば以下を含み得る：
・送信機及び／又は受信機のセットのうちの少なくとも１つを示すデータをＵＥ１へ送信すること、
・送信機及び／又は受信機のセットのうちの少なくとも１つをＵＥ１へ送信すること、
・１つ以上の送信機及び／又は受信機を対応するセットのうちから選択し、選択した送信機及び／又は受信機をＵＥ１へシグナリングすること、
・送信機及び／又は受信機のセットのうちの少なくとも１つをＵＥ１へ送信すること、
・送信機及び／又は受信機のセットのうちの少なくとも１つを示すデータを、ＵＥ１と、別のＤ２Ｄデバイス若しくはＵＥ又はネットワークノードとの間で中継し又は転送すること、
・送信機及び／又は受信機のセットのうちの少なくとも１つを、ＵＥ１と、別のＤ２Ｄデバイス若しくはＵＥ又はネットワークノードとの間で中継し又は転送すること。
例（ＵＥ１についての方法における例も参照）：
・ＵＥ１は、周波数帯域Ｂｘにおける自身の動作のために、周波数帯域Ｂｙのいずれかで動作可能な送信機及び／又は受信機を選択し得る：
−（Ｂ２，（Ｂ１，Ｂ２，Ｂ３））  ここで、Ｂｘ＝Ｂ２、Ｂｙ＝（Ｂ１，Ｂ２，Ｂ３）
・ＵＥ１は、キャリア周波数Ｆｘにおける自身の動作のために、キャリア周波数Ｆｙのいずれかで動作可能な送信機及び／又は受信機を選択し得る：
−（ｆ２，（ｆ１，ｆ２，ｆ３），（ｆ４、［要件］））  ここで、ｆ４についての予め定義された特定の要件を満たしつつ、Ｆｘ＝ｆ２、Ｆｙ＝（ｆ１，ｆ２，ｆ３）である。
【０１０８】
概して、Ｄ２Ｄデバイス又はＵＥは、そのＤ２Ｄデバイス又はＵＥにより少なくとも１回のＤ２Ｄ動作のために選択され得る１つ以上の送信機及び／又は受信機についての情報を、例えば自律的に及び／又は予め定義された情報及び／又はネットワークノードから受信される指示に基づいて、取得し得る。Ｄ２Ｄデバイス又はＵＥは、Ｄ２Ｄ動作のための１つ以上の送信機及び／又は受信機を、１つ以上の条件（例えば、ＰＣｅｌｌといったサービングセル上で中断を生じさせない送信機及び／若しくは受信機、又は、選択された送信機及び／若しくは受信機を使用できるようにするのに利用可能な又は必要とされる時間）に基づいて選択／決定するために適合され得る。Ｄ２Ｄデバイス又はＵＥは、取得された情報をＤ２Ｄ動作を実行するために使用するように適合され、及び／又は、そうした使用のための送信機及び／又は受信機を決定するように適合され得る。また、Ｄ２Ｄデバイス又はＵＥは、セルラ動作のために使われている送信機及び／若しくは受信機を使用するために適合されてもよく並びに／又は使用してもよく、必要であれば、それに応じて、セルラ動作のために送信機及び／又は受信機を再選択してもよい。この方法は、特に、ＣＡ動作も可能なＤ２Ｄデバイスへ、又は、２つ以上の送信機及び／又は受信機を有する他のＤ２Ｄデバイス若しくはＵＥアーキテクチャへ、適用される。
【０１０９】
本明細書で説明されるＤ２Ｄデバイスを動作させるための方法のうちのいずれか１つを実行するように適合されるＤ２Ｄデバイスが、概して考えられ得る。Ｄ２Ｄデバイスは、例えば方法を制御するための好適な回路、例えば制御回路を含み、並びに／又は、送信機及び／若しくは受信機及び／若しくは対応する回路及び／若しくはアンテナ回路を含み得る。本明細書で説明されるネットワークノードを動作させるための方法のうちのいずれか１つを実行するように適合されるネットワークノードが考えられ得る。ネットワークノードは、例えば方法を制御するための好適な回路、例えば制御回路を含み、並びに／又は、送信機及び／若しくは受信機及び／若しくは対応する回路及び／若しくはアンテナ回路を含み得る。
【０１１０】
本明細書で説明されるＤ２Ｄデバイス又はＵＥ（特に、ＵＥ１及びＵＥ２）はいずれも、ワイヤレス通信ネットワークのための及び／若しくはワイヤレス通信ネットワークのＤ２Ｄデバイス若しくはＵＥであり、並びに／又は、ワイヤレス通信ネットワークを用いたセルラ動作のために、及び／若しくはＤ２Ｄ動作のために、適合され得る。
【０１１１】
本明細書で説明される（特にｅＮｏｄｅＢであり得る）ネットワークノード（特に、ＮＷ内の）はいずれも、ワイヤレス通信ネットワークのための及び／若しくはワイヤレス通信ネットワークのネットワークノードであり、並びに／又は、ワイヤレス通信ネットワーク及び／又は少なくとも１つのＤ２Ｄデバイス若しくはＵＥを用いたセルラ動作のために、並びに／又は、特に少なくとも１つのＤ２Ｄデバイス若しくはＵＥを用いた又は少なくとも１つのＤ２Ｄデバイス若しくはＵＥの、Ｄ２Ｄ動作のために及び／若しくはＤ２Ｄ動作の制御のために、適合され得る。
【０１１２】
追加で又は代替的に、本明細書で説明されるネットワークノードを動作させるための方法のうちのいずれか１つを実行するように適合される制御ノードが、概して考えられ得る。
【０１１３】
制御ノード又はネットワークノードは、概して、基地局又はｅＮｏｄｅＢとして実装され得る。
【０１１４】
さらなる局面に従えば、制御回路により実行可能なコードを含むプログラムプロダクトであって、当該コードは、本明細書で説明される方法のうちのいずれか１つを制御回路に実行させ及び／又は制御させる、プログラムプロダクト、が提供される。
【０１１５】
その上、別の局面に従えば、本明細書で説明されるプログラムプロダクトのうちのいずれか１つ及び／又は制御回路により実行可能なコードを担持する担体（Carrier  Medium）であって、当該コードは、本明細書で説明される方法のうちのいずれか１つを制御回路に実行させ及び／又は制御させる、担体、が説明される。
【０１１６】
概して、担体は、制御回路によりアクセス可能及び／又は読み取り可能及び／又は受け取り可能であり得る。データ及び／又はプログラムプロダクト及び／又はコードを記憶することは、データ及び／又はプログラムプロダクト及び／又はコードを担持することの一部とみなされ得る。担体は、概して、ガイド／トランスポート用媒体及び／又は記憶媒体を含み得る。ガイド／トランスポート用媒体は、信号を、特に電磁信号及び／又は電気信号及び／又は磁気信号及び／又は光信号を、搬送するように適合され及び／又は搬送し及び／又は記憶し得る。担体は、特にガイド／トランスポート用媒体は、そうした信号を案内してそれらを搬送するように適合され得る。担体は、特にガイド／トランスポート用媒体は、例えば電波若しくはマイクロ波といった電磁場、並びに／又は、例えばグラスファイバといった光透過性材料、並びに／又は、ケーブル、を含み得る。記憶媒体は、揮発性でも不揮発性でもよいメモリ、バッファ、キャッシュ、光ディスク、磁気メモリ、フラッシュメモリ、等のうちの少なくとも１つを含み得る。
【０１１７】
移動体通信ネットワークは、概して、１つ若しくは２つ以上のネットワークノード、特に、本明細書で説明される制御ノード、及び／又は、無線アクセスネットワーク（これは、上記１つ若しくは２つ以上のネットワークノードを含み得る）、及び／又は、上記無線アクセスネットワークへ接続される若しくは接続可能なコアネットワーク、を含み得る。ネットワーク及び／又は制御ノードは、ワイヤレス及び／若しくは無線通信のために１つ以上のセルを提供するように、並びに／又は、１つ以上のＤ２Ｄデバイス若しくはＵＥにサービスするように、適合され得る。移動体通信ネットワークは、セルラネットワークであってよい。制御ノードは、セルラ通信及び／若しくはＤ２Ｄ通信を制御し及び／若しくはサービスするために適合され、並びに／又は、セルラ通信及び／若しくはＤ２Ｄ通信を提供し及び／若しくはサポートし得る。
【０１１８】
測定性能特性を決定し及び／又は取得し及び／又は受信することは、概して、１つの若しくは２つ以上の測定性能特性を決定し及び／又は取得し及び／又は受信すること、を含み得る。
【０１１９】
Ｄ２Ｄデバイスを構成することは、Ｄ２Ｄデバイスに自身の構成、例えば少なくとも１つの設定及び／又はレジスタエントリ及び／又は動作モードを、変更するように命令すること及び／又は仕向けること、を含み得る。Ｄ２Ｄ測定のためにＤ２Ｄデバイスを構成することは、Ｄ２Ｄデバイスに、Ｄ２Ｄ測定のための動作パラメータを、特に測定性能特性に従って変更するように命令すること及び／又は仕向けること、への言及であってよい。Ｄ２Ｄデバイスは、自身を構成するように適合され得る。Ｄ２Ｄデバイスを他のデバイス又はノード又はネットワークによって構成することは、当該他のデバイス又はノード又はネットワークによってＤ２Ｄデバイスへ情報及び／又はデータ及び／又は命令を送信することへの言及であり及び／又は送信することを含んでよく、例えば、Ｄ２Ｄ構成、並びに／又は、送信機及び／若しくは受信機に関するデータ、並びに／又は、構成される若しくは受信するＤ２Ｄデバイスが、使用する送信機及び／若しくは受信機を少なくとも１つそれに基づいて決定し得るデータ、例えば使用されるべき好ましいスペクトル及び／若しくは周波数及び／若しくはキャリアを示すデータ、が送信される。構成することは、特に送信機及び／又は受信機に関する、Ｄ２Ｄデバイスの１つ以上のパラメータ及び／又は設定を変更すること、を含み得る。
【０１２０】
構成を適合させることは、特に構成を例えばＤ２Ｄデバイスにより変更することによって、Ｄ２Ｄデバイスを構成すること、への言及であってよい。
【０１２１】
データを取得することは、例えば他のノード及び／又はデバイス及び／又はネットワークから、そのデータを受信すること、を含み得る。Ｄ２Ｄ動作のための送信機及び／又は受信機を決定することは、Ｄ２Ｄ動作のために送信機及び／又は受信機を選択すること及び／又は構成すること、を含み得る。送信機又は受信機のような無線リソースを構成することは、例えばその動作パラメータ、例えば周波数、帯域幅、電力レベル、感度、等をチューニングすることによって、その無線リソースを所望の動作、例えばＤ２Ｄ動作に適合させること、を含み得る。
【０１２２】
Ｄ２Ｄデバイスがワイヤレス通信を介して、特にＤ２Ｄ通信及び／又はセルラ通信を介して他のノード若しくはデバイス又はネットワークと通信可能であって、例えばそれがネットワーク内に又は他のＤ２Ｄデバイスに登録されており又は登録可能であり、並びに／又は、そうした通信中である場合、Ｄ２Ｄデバイスは通信のために接続されており又は接続可能である、とみなされてよい。概して、Ｄ２Ｄデバイスは、Ｄ２Ｄ動作及びセルラ動作について並列的又は択一的のいずれかで適合され得る。
【０１２３】
例えばＤ２Ｄデバイスを構成するという文脈において、受信すること又は送信することは、概して、セルラ通信及び／又はＤ２Ｄ通信を介して実行され得る。
【０１２４】
この説明の文脈において、ワイヤレス通信は、例えばワイヤレス通信ネットワークにおける及び／又は無線アクセス技術（ＲＡＴ）を使用した、電磁波及び／又はエアインタフェース、特に電波を介する、通信、特にデータの送信及び／又は受信、であり得る。通信は、ワイヤレス通信ネットワークのノード間のもの及び／又はワイヤレス通信ネットワークにおけるものであってよい。通信における若しくは通信のための、及び／又はワイヤレス通信ネットワークにおける、同ネットワークの、若しくは同ネットワークのためのノードは、１つ以上のＲＡＴ、特にＬＴＥ／Ｅ−ＵＴＲＡのために適合され及び／又は同ＲＡＴを利用する通信のために適合されることが想定され得る。通信は、概して、特にパケットデータの形でメッセージを送信すること及び／又は受信することを含み得る。メッセージ又はパケットは、制御データ及び／若しくは構成データ及び／若しくはペイロードデータを含み、並びに／又は、ひとまとまりの物理レイヤ送信を表し及び／若しくは含み得る。制御データ及び／又は構成データは、通信のプロセスに及び／又はその通信のノードに関係するデータ、への言及であってよい。当該データは、例えば、通信のノードを参照するアドレスデータ、並びに／又は、送信モード及び／若しくはスペクトル構成及び／若しくは周波数及び／若しくは符号化及び／若しくはタイミング及び／若しくは帯域幅に関係するデータを、通信若しくは送信のプロセスに関係するデータとして、例えばヘッダ内に含み得る。
【０１２５】
そうした通信に関与する各ノードは、無線回路及び／又は制御回路及び／又はアンテナ回路を含んでよく、それ（ら）は、１つの又は２つ以上の無線アクセス技術を利用し及び／又は実装するように構成され得る。ノードの無線回路は、概して、電波の送信及び／又は受信のために適合されてよく、特に、対応する送信機及び／又は受信機及び／又は送受信機を含んでよく、それ（ら）は、アンテナ回路及び／又は制御回路へ接続され又は接続可能であってよい。ノードの制御回路は、コントローラ、並びに／又は、読出しアクセス及び／若しくは書込みアクセスのためにコントローラがアクセス可能であるように構成されるメモリ、を含み得る。コントローラは、通信及び／若しくは無線回路を制御するように並びに／又は追加のサービスを提供するように構成され得る。ノードの回路、特に制御回路、例えばコントローラは、本明細書で説明される機能性を提供するようにプログラムされ得る。対応するプログラムコードは、関連付けられたメモリ及び／若しくは記憶媒体内に記憶され、並びに／又はハードワイヤで構成され、並びに／又はファームウェア及び／若しくはソフトウェアとして及び／若しくはハードウェアで提供され得る。コントローラは、概して、プロセッサ及び／又はマイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを含み得る。より具体的には、制御回路は、メモリを含み及び／又はメモリへ接続され若しくは接続可能であり、メモリは、コントローラ及び／又は制御回路により読出し及び／又は書込みのためにアクセス可能であるように適合され得る、と考えられ得る。
【０１２６】
無線アクセス技術は、概して、例えばＢｌｕｅｔｏｏｔｈ及び／又はＷｉｆｉ及び／又はＷＩＭＡＸ及び／又はｃｄｍａ２０００及び／又はＧＥＲＡＮ及び／又はＵＴＲＡＮ及び／又は特にＥ−Ｕｔｒａｎ及び／又はＬＴＥを含み得る。通信は、特に、論理チャネル並びに／又は論理送信及び／若しくは受信がその上にインプリントされ（imprinted）又は積み重ねられ得る、物理レイヤ（ＰＨＹ）の送信及び／又は受信を含み得る。ワイヤレス通信ネットワークのノードは、Ｄ２Ｄデバイス及び／又はユーザ機器及び／又は基地局及び／又は中継ノード及び／又は、デバイスツーデバイス通信のために全体的に適合されるいかなるデバイスとしても実装されてもよい。
【０１２７】
ワイヤレス通信ネットワークは、デバイスツーデバイス通信のために構成されるデバイス（Ｄ２Ｄデバイス）及び／又はユーザ機器及び／又は基地局及び／又は中継ノードのうちの少なくとも１つ、特に少なくとも１つのユーザ機器を含み、これは、当該ワイヤレス通信ネットワークの第２のＤ２Ｄデバイス又はノードとの、特に第２のユーザ機器とのデバイスツーデバイス通信のために構成され得る。ワイヤレス通信ネットワークの若しくは同ネットワークのためのノードは、概して、特にセルラ及び／若しくはワイヤレス通信ネットワークの周波数スペクトル並びに／又はそうしたネットワークの周波数及び／若しくは時間リソースを使用する、ワイヤレスのデバイスツーデバイス通信のために構成されるワイヤレスデバイス、であり得る。デバイスツーデバイス通信は、任意選択で、複数のデバイス若しくはノードへのブロードキャスト通信及び／又はマルチキャスト通信を含み得る。セルラネットワークは、ネットワークノード、特に無線ネットワークノードを含み、同ノードは、例えばＬＴＥに従った、例えば進化型（evolved）ネットワークコアを有するコアネットワークといったコアネットワークへ、接続され又は接続可能であり得る。ネットワークノードとコアネットワーク／ネットワークコアとの間の接続は、少なくとも部分的にケーブル／地上回線の接続に基づいてよい。コアネットワークの一部、特に基地局若しくはｅＮＢよりも上のレイヤが関与する、並びに／又は基地局若しくはｅＮＢにより提供される予め定義されたセル構造を介した、動作及び／又は通信及び／又は信号の交換は、セルラとしての性質を有すると見なされてよく、又はセルラ動作と呼ばれてもよい。
【０１２８】
基地局よりも上のレイヤが関与することのない及び／又は基地局若しくはｅＮＢにより提供される予め定義されたセル構造を利用することのない動作及び／又は通信及び／又は信号の交換は、それがセルラ動作のために提供され及び／又は使用される無線リソース、特にキャリア及び／若しくは周波数、並びに／又は機器（例えば、無線回路及び／又はアンテナ回路のような回路、特に送信機及び／又は受信機及び／又は送受信機）を利用する場合には、特に、Ｄ２Ｄ通信又は動作であると見なされてよい。
【０１２９】
ユーザ機器（ＵＥ）は、概して、ワイヤレスのデバイスツーデバイス通信のために構成されたデバイスであってよく（それはＤ２Ｄデバイスであってよく）、並びに／又は、ワイヤレス及び／若しくはセルラネットワークのための端末、特に移動体端末であってよく、例えば、携帯電話、スマートフォン、タブレット、ＰＤＡ、等であってよい。ユーザ機器は、本明細書で説明されるようなワイヤレス通信ネットワークの又は同ネットワークのためのノードであり、特にＤ２Ｄデバイスであり得る。ユーザ機器又はＤ２Ｄデバイスは、１つ以上のＲＡＴ、特にＬＴＥ／Ｅ−ＵＴＲＡに適合されることが想定され得る。ユーザ機器又はＤ２Ｄデバイスは、概して、近接サービス（ＰｒｏＳｅ）可能型（enabled）であり、これは、ユーザ機器又はＤ２ＤデバイスがＤ２Ｄ対応型又はＤ２Ｄ可能型であることを意味し得る。ユーザ機器又はＤ２Ｄデバイスは、ワイヤレス通信のための無線回路及び／制御回路を含むと考えられ得る。無線回路は、例えば、受信機デバイス及び／又は送信機デバイス及び／又は送受信機デバイスを含み得る。制御回路は、コントローラを含み、コントローラは、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを含み得る。制御回路は、メモリを含み又はメモリへ接続され若しくは接続可能であり、メモリは、コントローラ及び／又は制御回路により読出し及び／又は書込みのためにアクセス可能であるように適合され得る、と考えられ得る。ワイヤレス通信ネットワークの又は同ネットワークのためのノード若しくはデバイス、特にデバイスツーデバイス通信のためのノード若しくはデバイスは、概して、ユーザ機器又はＤ２Ｄデバイスであり得る。ユーザ機器は、ＬＴＥ／Ｅ−ＵＴＲＡＮに適合されるユーザ機器として構成されると考えられ得る。
【０１３０】
基地局は、１つ以上のユーザ機器にサービスするように適合される、ワイヤレス及び／若しくはセルラネットワークの又は同ネットワークのための、いかなる種類の基地局であってもよい。基地局は、ワイヤレス通信ネットワークの又は同ネットワークのためのネットワークノードである、と考えられ得る。基地局は、ネットワークの１つ以上のセルを提供し及び／若しくは定義するように適合され、並びに／又は、ネットワークの１つ以上のノードへ通信のために周波数及び／若しくは時間リソースを割り当て若しくはスケジューリングするように、特に、例えば、基地局とは異なるデバイス同士の通信であり得るデバイスツーデバイス通信のためにＵＬリソースを割り当て若しくはスケジューリングするように、適合され得る。概して、そうした機能性を提供するように適合されるノードはいずれも、基地局であると考えられ得る。基地局、又はより広くネットワークノード、特に無線ネットワークノードは、ワイヤレス通信のための無線回路及び／又は制御回路を含む、と考えられ得る。基地局又はネットワークノードは、１つ以上のＲＡＴ、特にＬＴＥ／Ｅ−ＵＴＲＡに適合される、と想定され得る。無線回路は、例えば、受信機デバイス及び／又は送信機デバイス及び／又は送受信機デバイスを含み得る。制御回路は、コントローラを含み、コントローラは、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを含み得る。制御回路は、メモリを含み又はメモリへ接続され若しくは接続可能であり、メモリは、コントローラ及び／又は制御回路により読出し及び／又は書込みのためにアクセス可能であるように適合され得る、と考えられ得る。
【０１３１】
基地局は、ワイヤレス通信ネットワークのノードとして構成され、特に、例えば直接関与するデバイスとして又は補助的な及び／若しくは協調ノードとして、デバイスツーデバイス通信のために及び／又は同通信を可能にし及び／又は同通信を容易にし及び／又は同通信に参加するように構成され得る。概して、基地局は、コアネットワークと通信するように、並びに／又は、１つ以上のユーザ機器にサービス及び／若しくは制御を提供するように、並びに／又は、１つ以上のユーザ機器とコアネットワーク及び／若しくは他の基地局との間で通信及び／若しくはデータを中継し及び／若しくは移送するように構成され、並びに／又は、近接サービス可能型であり得る。ｅＮｏｄｅＢ（ｅＮＢ）は、特にＬＴＥに従った、基地局の一例として想定され得る。基地局は、概して、近接サービス可能型であり及び／又は対応するサービスを提供し得る。基地局は、ＥＰＣ（Evolved  Packet  Core）として構成され又はＥＰＣへ接続され若しくは接続可能であり、並びに／又は、対応する機能性を提供し及び／若しくは対応する機能性へ接続するように構成される、と考えられ得る。基地局の当該機能性及び／又は複数の異なる機能は、１つ以上の異なるデバイス及び／又は物理的な場所及び／又はノードにわたって分散され得る。基地局は、ワイヤレス通信ネットワークのノードであると考えられ得る。概して、基地局は、制御ノードとして構成され、及び／又は、特に、ワイヤレス通信ネットワークの２つのノード、特に２つのユーザ機器間のデバイスツーデバイス通信のためにリソースを割り当てるように構成される、と考えられ得る。
【０１３２】
デバイスツーデバイス（Ｄ２Ｄ）通信又は動作は、概して、ワイヤレス通信ネットワークの若しくは同ネットワークのためのノード間若しくはＤ２Ｄデバイス間の通信、又は、１つ以上のノードの対応する動作、への言及であり、それらは、特にＬＴＥ／Ｅ−ＵＴＲＡＮに従って、ネットワークの周波数スペクトル並びに／又は周波数及び／若しくは時間リソースを利用し得る。通信は、ワイヤレス通信であり得る。この文脈におけるデバイスは、ワイヤレス通信ネットワークのノード、特にユーザ機器又は基地局であり得る。デバイスツーデバイス通信は、特に、少なくとも１つのユーザ機器が関与する、例えば２つ以上のユーザ機器間の通信であり得る。
【０１３３】
デバイスツーデバイス通信は、特にコアネットワークとの及び／又はネットワークの基地局若しくは協調ノードよりも上のレイヤとのインタラクションなしに、基地局若しくは協調ノード若しくは中継ノードを介して中継され及び／又は提供されてよく、或いは、基地局若しくは制御ノードが関与せず、及び／又は、基地局若しくは制御ノードが例えば構成データ若しくは送信構成若しくは、ユーザ機器間のデバイスツーデバイス通信のために意図されるメッセージについての関連情報といった補助的なサービスを提供するだけの、２つのデバイス、例えばユーザ機器間のダイレクト通信であってもよい。Ｄ２Ｄ通信は、セルラカバレッジのない領域における及び／又はセルラ若しくは移動体ネットワークとのインタラクションなしの、２つのＤ２Ｄデバイス間の通信であり得る。後者の場合、デバイスツーデバイス通信を実行しているノード間を流れるデータ及び／又は信号は、基地局及び／又は制御ノードを介しては移送されない、と考えられ得る。これに対し、セルラ通信中は、ｅＮＢ／基地局／協調ノードよりも上のネットワークレイヤ群が概して関与し、特に、ケーブル／地上回線を介してｅＮＢ／基地局／協調ノードへ接続され得るコアレイヤ群が関与し得る。
【０１３４】
デバイスツーデバイス通信中、メッセージが提供され及び／又は送信され及び／又は受信され得る。メッセージは、ひとまとまりの物理レイヤ送信であり若しくはそうしたまとまりによって表されると見なされ、及び／又は、そうしたまとまりを含み得る。メッセージは、送信構成に関する情報、特に、例えばヘッダ内の及び／又はペイロードといった、関連した情報に関する情報、を含み得る。単一方向のメッセージは、コネクションレス型の通信のためのメッセージ、並びに／又は、送信ノードと受信ノードとの間に先行する通信及び／若しくは先行する接続が何ら必要ない及び／若しくは提供されないメッセージ、並びに／又は、応答も応答プロトコルもハンドシェイクも期待されないメッセージ、であり得る。デバイスツーデバイス通信のために構成され及び／又は同通信が可能なデバイス（これはＤ２Ｄデバイス又はＤ２Ｄ可能型ノードと呼ばれ得る）は、デバイスツーデバイス通信を提供するように構成された、特に、例えばＬＴＥ／Ｅ−ＵＴＲＡ要件に従って、近接サービスを可能にするように構成された（ＰｒｏＳｅ可能型の）、制御回路及び／又は無線回路、を含み得る。Ｄ２Ｄ動作又は通信及びセルラ動作又は通信は、異なる動作タイプ又はモードと考えられ、それらは、概して、利用可能なリソースの同じプールのうちのリソース、例えば割り当てられたリソース、及び／又は同じキャリア、を使用して実行され得る。
【０１３５】
記憶媒体は、データを記憶するように並びに／又は制御回路及び／若しくは演算デバイスにより実行可能な命令を記憶するように適合されてよく、命令は、制御回路及び／又は演算デバイスによって実行されると、本明細書で説明される方法のうちのいずれか１つを制御回路及び／又は演算デバイスに実行させ及び／又は制御させる。記憶媒体は、概して、コンピュータ読取可能であり、例えば、光ディスク及び／又は磁気メモリ及び／又は揮発性若しくは不揮発性のメモリ及び／又はフラッシュメモリ及び／又はＲＡＭ及び／又はＲＯＭ及び／又はＥＰＲＯＭ及び／又はＥＥＰＲＯＭ及び／又はバッファメモリ及び／又はキャッシュメモリ及び／又はデータベース、であり得る。
【０１３６】
リソース又は通信リソースは、概して、周波数及び／又は時間リソースであり得る。割り当てられ又はスケジューリングされるリソースは、特に１つ以上のキャリア及び／若しくは帯域幅及び／若しくはサブキャリアに関する、周波数関連の情報、並びに／又は、特にフレーム及び／若しくはスロット及び／若しくはサブフレームに関する、時間関連の情報、並びに／又は、リソースブロックに関する、並びに／又は、時間／周波数ホッピング情報、を含み及び／又はそれらへの言及であってよい。割り当てられるリソースは、特に、ＵＬリソース、例えば第１のＤ２Ｄデバイスが第２のＤ２Ｄデバイスへ及び／又は第２のＤ２Ｄデバイスのために送信するためのＵＬリソース、への言及であってよい。割り当てられたリソース上で送信すること及び／又は割り当てられたリソースを利用することは、割り当てられたリソース上で、例えば指示された周波数及び／又はサブキャリア及び／又はキャリア及び／又はタイムスロット若しくはサブフレーム上で、データを送信すること、を含み得る。概して、割り当てられたリソースは、解放され得る及び／又は割り当てが解除され得る、と考えられ得る。ネットワーク又はネットワークのノード、例えば割り当てノードは、リソースの解放若しくは割り当て解除を決定し、及び／又は、それを示す対応する割り当てデータを１つ以上のＤ２Ｄデバイスへ、特に第１のＤ２Ｄデバイスへ送信する、ように適合され得る。したがって、Ｄ２Ｄのリソース割り当ては、ネットワークによって及び／又はノードによって、特に、Ｄ２Ｄ通信に参加している又は参加を意図しているＤ２Ｄデバイスをカバーするセルラネットワーク内のノード及び／若しくは同ネットワークのセル内のノードによって、実行され得る。
【０１３７】
割り当てデータは、割り当てノードにより割り当てられるリソースを指示し及び／又は許可するデータ、特に、Ｄ２ＤデバイスのためのＤ２Ｄ通信のためにどのリソースが予約され若しくは割り当てられるか及び／又はＤ２Ｄ通信のためにＤ２Ｄデバイスがどのリソースを使用してよいかを特定する若しくは示すデータ、並びに／又は、リソースの許可若しくは解放を示すデータ、であると考えられ得る。許可又はリソースの許可は、割り当てデータの一例であると考えられ得る。割り当てノードは、割り当てデータをノードへ直接送信するように、及び／又は、例えば中継ノード及び／若しくは別のノード又は基地局を介して間接的に送信するように、適合されると考えられ得る。割り当てデータは、制御データを含み、及び／又は、特に、例えばＬＴＥといった標準で定義され得る例えばＤＣＩフォーマットといった予め定義されたフォーマットに従う、メッセ−ジの一部であり、若しくはそのメッセージを形成し得る。特に、割り当てデータは、リソースを予約するための若しくは、既に割り当てられているかもしれないリソースを解放するための、情報及び／又は命令を含み得る。概して、割り当てデータは、例えば第１のＤ２Ｄデバイスについての、送信モード及び／又は、特に送信の電力レベルに関する構成を、示し及び／又は命令し得る。第１のＤ２Ｄデバイスは、概して、割り当てデータに従って送信構成を実行するように、特に、対応する電力レベルを設定するように、適合され得る。割り当てデータは、ＴＰＣを含み並びに／又はＴＰＣとして及び／若しくはＴＰＣフォーマットで実装される、と考えられ得る。
【０１３８】
Ｄ２Ｄ送信は、セルラ及び／又はＵＬ送信とは異なるタイプであると考えられ得る。送信は、特定の周波数及び／又はスペクトル及び／又は帯域幅及び／又はキャリアに関係し得る。
【０１３９】
受信機又は受信機チェーンは、概して、送信用ケイパビリティが含まれ得る送受信機構成によって、又は、送信用キャパシティが含まれることなく実装され得る別個の構成として、提供され得る。
【０１４０】
測定ギャップは、特にサービングセル又は所与のキャリアに関して、その間に送信も受信も行われない時間ギャップ又はインターバルへの言及であってよい。当該ギャップの期間中、（少なくともサービングセル又は所与のキャリアにおいて）信号の送信及び受信がないので、Ｄ２Ｄデバイス又はＵＥは、別の若しくはターゲットセル又はキャリアへ切り替えることができ、及び／又は、同じ受信機を利用して、例えば信号品質について、そのターゲットセル又はキャリアに対して測定を実行することができる。
【０１４１】
「イントラ周波数」という用語は、例えば、同じ周波数を利用可能な隣接するセル（それらは異なるＢＳによって提供され得る）間の、同じ周波数／帯域幅及び／又はキャリアに関する事柄への言及であってよい。「インター周波数」という用語は、例えばマルチキャリア構成における異なるキャリア間の、異なる周波数／帯域幅及び／又はキャリアに関する事柄への言及であってよい。
【０１４２】
受信する動作は、測定動作、例えば信号品質測定を含んでよく、これは、測定ギャップにおいて行われ、当該ギャップにおいて、測定されるべきキャリア／周波数への受信機の切り替えが行われ得る。
【０１４３】
この説明の文脈では、Ｄ２Ｄデバイスは、概して、特にセルラの及び／又はライセンスされた通信システム、例えばＬＴＥ標準に従ったシステムの周波数及び／又はリソースを使用する、Ｄ２Ｄ通信及び／又は動作が可能なデバイスであり、Ｄ２Ｄ可能型の若しくはＤ２Ｄ対応型のＵＥ又はノード、とも称され得る。Ｄ２Ｄデバイスは、ダイレクト無線リンク上で、即ちそれ自身と他のＤ２Ｄ対応型のエンティティ若しくはＤ２Ｄデバイスとの間で、無線信号を少なくとも受信し及び／又は送信することができる、いかなるエンティティ、機器、デバイス又はノードをも含み得る。Ｄ２Ｄデバイス又はＤ２Ｄデバイスは、例えば、セルラＵＥ、ＰＤＡ、ワイヤレスデバイス、ラップトップ、移動体、センサ、リレー、Ｄ２Ｄリレー、ＵＥのようなインタフェースを用いる小型の基地局、等に含まれ又はそれらを含み得る。少なくとも１回のＤ２Ｄ動作をサポートし及び／又は実行することができるデバイス又はエンティティはいずれも、Ｄ２Ｄデバイスであると見なされ得る。即ち、Ｄ２Ｄデバイスは、少なくとも１回のＤ２Ｄ動作をサポートし及び／又は実行するように適合され得る。Ｄ２Ｄデバイスは、概して、ワイヤレス通信ネットワークにおけるセルラ動作及び／又は通信のために適合され得る。Ｄ２Ｄデバイスは、概して、ワイヤレス通信のための、特にＤ２Ｄ動作又は通信及びセルラ動作又は通信のための、無線回路及び／又は制御回路を含む、と考えられ得る。
【０１４４】
Ｄ２Ｄデバイスは、例えば制御回路といったハードウェアデバイスによって実行可能であるように構成され及び／又は例えばＵＥ若しくは端末のメモリ内に記憶可能であるように構成されるソフトウェア／プログラム構成を含んでよく、当該構成は、例えばＵＥ若しくは端末に、Ｄ２Ｄ機能性及び／又は対応する制御機能性を提供し得る。
【０１４５】
Ｄ２Ｄ動作は、Ｄ２Ｄ又はＤ２Ｄ通信に関連するいかなるアクション又はアクティビティをも含み、Ｄ２Ｄ通信と互換可能に使用され得る。Ｄ２Ｄ動作は、例えば、Ｄ２Ｄ目的のための及び／又はＤ２Ｄ動作における信号／チャネルタイプ若しくはデータを送信し又は受信すること、Ｄ２Ｄ通信によりデータを送信し又は受信すること、Ｄ２Ｄ目的のための制御データ若しくは支援データを送信し又は受信すること、Ｄ２Ｄのための制御データ若しくは支援データについてのリクエストを送信し又は受信すること、Ｄ２Ｄ動作モードを選択すること、Ｄ２Ｄ動作を開始／スタートすること、セルラ動作モードからＤ２Ｄ動作モードへ切り替えること、Ｄ２Ｄのための１つ以上のパラメ−タで受信機又は送信機を構成すること、を含み得る。Ｄ２Ｄ動作は、Ｄ２Ｄに関連するデータを使用した、商業目的のためのもの又は公共の安全をサポートするものであり得る。Ｄ２Ｄ動作は、ある特定のＤ２Ｄサービスに特有のものであってもなくてもよい。Ｄ２Ｄ受信動作は、Ｄ２Ｄ動作であってよく及び／又はＤ２Ｄ動作に含まれてよく、それは、１つの例では、Ｄ２Ｄ受信動作以外も伴い得る。Ｄ２Ｄ動作は、概して、Ｄ２Ｄデバイス又はＵＥにより実行され得る又は実行可能であり得る。Ｄ２Ｄ受信動作は、Ｄ２Ｄデバイスによって、Ｄ２Ｄデータ及び／又は信号を受信すること、を含み得る。Ｄ２Ｄ送信動作は、Ｄ２Ｄデバイスによって、Ｄ２Ｄデータ及び／又は信号を送信すること、を含み得る。少なくとも１回のＤ２Ｄ動作を実行するＤ２Ｄデバイスは、Ｄ２Ｄ若しくはＤ２Ｄモードにあるか又はＤ２Ｄ動作中であると考えられ得る。Ｄ２Ｄ動作は、Ｄ２Ｄ測定を含み得る。
【０１４６】
Ｄ２Ｄ測定は、例えば、Ｄ２Ｄデバイスによって実行される、Ｄ２Ｄ目的のために並びに／又はＤ２Ｄ信号／チャネル上で並びに／又はＤ２Ｄ動作及び／若しくは通信に関して実行される、測定であり得る。Ｄ２Ｄ測定は、以下のいずれか１つ又はいずれかの組み合わせを含み得る：Ｄ２Ｄ  ＲＲＭ測定、Ｄ２Ｄ測位測定、Ｄ２Ｄ同期測定、Ｄ２Ｄ同期信号に対する測定、Ｄ２Ｄリファレンス信号に対する測定、Ｄ２Ｄチャネルに対する測定、信号対雑音の測定、信号強度の測定、信号品質の測定、特に、受信された信号の強度の測定、受信された信号の品質の測定、ＲＬＭ、同期、一方向及び／又は双方向のタイミングの測定、ＲＴＴ又はＲｘ−Ｔｘ又は同様の測定、チャネル復号若しくは受信に成功した回数及び／又は失敗した回数の測定、データスループットの測定、送信された及び／又は受信されたデータの量の測定、請求（billing）関連の測定；これらの測定は、Ｄ２Ｄ通信及び／又はＤ２Ｄ動作に関して実行され得る。
【０１４７】
（特にＤ２Ｄデバイス又はＵＥによる）セルラ動作は、セルラネットワーク（いずれか１つ以上のＲＡＴ）に関連するいかなるアクション又はアクティビティをも含み得る。セルラ動作のいくつかの例は、無線信号送信、無線信号受信、無線測定の実行、セルラネットワークに関連するモビリティ動作又はＲＲＭの実行、である。
【０１４８】
Ｄ２Ｄ送信又は通信は、Ｄ２Ｄデバイス若しくはデバイスによる及び／又はＤ２Ｄ動作若しくはモード若しくは通信におけるいずれの送信又は通信であってもよい。Ｄ２Ｄ送信のいくつかの例は、専用又は共通／共用の、物理信号又は物理チャネル、例えば、リファレンス信号、同期信号、ディスカバリチャネル、制御チャネル、データチャネル、ブロードキャストチャネル、ページングチャネル、スケジューリング割り当て（ＳＡ）の送信、等を含み得る。ダイレクト無線リンク上でのＤ２Ｄ送信は、別のＤ２Ｄデバイスによって受信されることが意図され得る。Ｄ２Ｄ送信は、ユニキャスト、グループキャスト、又はブロードキャストの送信であってよい。Ｄ２Ｄ送信は、ワイヤレス通信システムのアップリンク時間・周波数リソース上であってよい。
【０１４９】
制御ノードは、概して、セルラ及び／又はＤ２Ｄ通信のためにＤ２Ｄデバイスへ接続される又は接続可能なネットワークノードであり得る。制御ノードは、Ｄ２Ｄデバイスへ測定性能特性を提供する及び／若しくは送信するという当該ノードの機能性、並びに／又は、特に測定性能特性に基づいてＤ２Ｄデバイスを構成するという当該ノードの機能性、によって定義され得る。制御ノードは、セルラ通信又は送信及びＤ２Ｄ通信又は送信のうちの少なくとも１つのために使用されるべき時間・周波数リソースを、少なくとも部分的に、スケジューリングし、決定し及び／又は選択し及び／又は割り当てるように適合されるネットワークノード、であってよい。また、制御ノードは、別のＤ２Ｄデバイス、クラスタヘッド、ｅＮｏｄｅＢ等の無線ネットワークノード、又はネットワークノード（例えば、コアネットワークノード）、ＭＭＥ、測位ノード、Ｄ２Ｄサーバ、ＲＮＣ、ＳＯＮ、等）といった別のノードへ、スケジューリング情報及び／又は測定性能特性を提供し得る。ネットワークノード又は制御ノードは、無線ネットワークノードと通信し得る。制御ノードは、１つ以上のＤ２Ｄデバイス若しくはＵＥのための協調及び／又は制御も実行し得ると想定され得る。協調及び／又は制御は、集中的に又は分散的に実行され得る。制御ノードは、割り当てノード及び／又は協調ノードと称されてもよい。
【０１５０】
ネットワークデバイス若しくはノード及び／又はＤ２Ｄデバイスは、例えば制御回路といったハードウェアデバイスによって実行可能なように及び／又はメモリ内に記憶可能なように構成されるソフトウェア／プログラム構成であってよく又は同構成を含んでよく、これは、Ｄ２Ｄ機能性及び／又は対応する制御機能性を提供し得る。
【０１５１】
無線スペクトル：複数の実施形態のうちの少なくともいくつかは、ＵＬスペクトル（ＦＤＤ）又はＵＬリソース（ＴＤＤ）におけるＤ２Ｄ送信について説明され得るが、実施形態は、ＵＬ無線リソースの使用に限定されるわけではなく、ライセンスされたスペクトルにも未ライセンスのスペクトルにも、どの特定のスペクトルにも何ら限定されない。
【０１５２】
セルラネットワーク又は移動体若しくはワイヤレス通信ネットワークは、例えば、ＬＴＥネットワーク（ＦＤＤ又はＴＤＤ）、ＵＴＲＡネットワーク、ＣＤＭＡネットワーク、ＷｉＭＡＸ、ＧＳＭネットワーク、セルラ動作のためにいずれか１つ以上の無線アクセス技術（ＲＡＴ）を用いる任意のネットワーク、を含み得る。本明細書における説明は、ＬＴＥについて与えられるが、ＬＴＥ  ＲＡＴに限定されない。
【０１５３】
ＲＡＴ（無線アクセス技術）は、概して、例えばＬＴＥ  ＦＤＤ、ＬＴＥ  ＴＤＤ、ＧＳＭ、ＣＤＭＡ、ＷＣＤＭＡ、ＷｉＦｉ、ＷＬＡＮ、ＷｉＭＡＸ、等を含み得る。
【０１５４】
ネットワークノードは、（例えばＤ２Ｄデバイス若しくはＵＥとのワイヤレス又は無線通信のために適合され得る）無線ネットワークノード、又は他のネットワークノード、であり得る。ネットワークノードは、概して、制御ノードであり得る。無線ネットワークノード又は制御ノードのいくつかの例は、無線基地局、特にｅＮｏｄｅＢ、中継ノード、アクセスポイント、クラスタヘッド、ＲＮＣ、等である。無線ネットワークノードは、移動体通信ネットワーク内に含まれ、セルラ動作若しくは通信及び／又はＤ２Ｄ動作若しくは通信をサポートし及び／又はそれら動作／通信のために適合され得る。ネットワークノード、特に無線ネットワークノードは、特にワイヤレス通信のための、無線回路及び／又は制御回路を含み得る。無線ネットワークノードではないネットワークノードのいくつかの例は、コアネットワークノード、ＭＭＥ、ワイヤレスデバイスのモビリティを少なくとも部分的に制御するノード、ＳＯＮノード、Ｏ＆Ｍノード、測位ノード、サーバ、アプリケーションサーバ、Ｄ２Ｄサーバ（これは、Ｄ２Ｄに関連する特徴のすべてではないがいくつかが可能である）、ＰｒｏＳｅ機能を含むノード、ＰｒｏＳｅサーバ、外部ノード、又は、別のネットワークに含まれるノード、を含み得る。いずれのネットワークノードも、制御回路及び／又はメモリを含み得る。
【０１５５】
ネットワークノードが、セルラネットワークのセルを、サービスされるノード又はＤ２Ｄデバイス若しくはＵＥへ提供し、並びに／又は、送信及び／若しくは受信及び／若しくは、ＵＬ及び／若しくはＤＬのデータ交換若しくは送信を介して、並びに／又はそれらのために、Ｄ２Ｄデバイス若しくはＵＥへ接続され若しくは接続可能であれば、並びに／又は、ネットワークノードが、Ｄ２Ｄデバイス若しくはＵＥに、割り当てデータ及び／若しくは構成データ及び／若しくは測定性能特性を提供するように適合され並びに／又はＤ２Ｄデバイス若しくはＵＥを構成するように適合されていれば、そのネットワークノードは、Ｄ２Ｄデバイス若しくはＵＥにサービスするものとして見なされてよい。
【０１５６】
マルチキャリア周波数又は機能性は、同じ周波数帯域内の又は異なる周波数帯域内の、同じＰＬＭＮ内の又は異なるＰＬＭＮ内の、同じＲＡＴ内の又は異なるＲＡＴ内の、異なるキャリア周波数、のうちのいずれへの言及であってもよい。Ｄ２Ｄ動作は、専用のキャリア周波数上で行われても行われなくてもよい。ＦＤＤ内のＤＬ及びＵＬキャリア周波数も、異なるキャリア周波数の例である。本明細書における周波数帯域は、ＦＤＤ、ＴＤＤ、ＨＤ−ＦＤＤ、又は単一方向のもの（例えば、いくつかの例では、Ｂａｎｄ２９といったＤＬ専用の帯域）であってもよい。マルチキャリア周波数は、キャリアアグリゲーション機能性を含み、その中で、複数のキャリア又はセルは、通信の２つの参加者間の送信及び／又は受信のために使用される。キャリアは、スペクトル内で連続的であってもよく又は非連続的であってもよい。
【０１５７】
本明細書において使用される「Ｄ２ＤのためのＴＰＣ」という用語は、（例えば、ＳＡ、Ｄ２Ｄデータ、Ｄ２Ｄ同期信号、Ｄ２Ｄ制御チャネル、Ｄ２Ｄディスカバリ送信、Ｄ２Ｄ通信のための任意のＤ２Ｄ送信、Ｄ２Ｄディスカバリのための任意のＤ２Ｄ送信といった、）１つ以上のＤ２Ｄ送信のための少なくとも１つの電力制御コマンドへの言及であり又は同コマンドを含み得る。「セルラＵＬのためのＴＰＣ」は、１つ以上のセルラＵＬ送信のｔｘ電力を制御するためにネットワークノード若しくはｅＮｏｄｅＢにより又はそれを介して送信される少なくとも１つの電力制御コマンドを含み又は同コマンドへの言及であってもよい。これら２つの異なるタイプのＴＰＣは、同じ又は異なるチャネル若しくはチャネルタイプ（例えば、ＰＤＣＣＨ及び／又はＥＰＤＣＣＨ）を介して、Ｄ２Ｄデバイス若しくはＵＥへ同じ又は別個のメッセージ内で送信され、並びに／又は、割り当てデータの１つのセット若しくはパケット若しくはメッセージ内に、又は、割り当てデータの異なるセット若しくはパケット若しくはメッセージ内に、含まれ得る。
【０１５８】
Ｄ２Ｄデバイスは、概して、Ｄ２Ｄ通信、特に送信及び／若しくは受信を、並びに／又はＤ２Ｄ動作のうちの少なくとも１つのタイプを、実行するように適合されるノード又はデバイス、であり得る。特に、Ｄ２Ｄデバイスは、端末及び／又はユーザ機器及び／又はＤ２Ｄ可能型のマシン及び／又はセンサであり得る。Ｄ２Ｄデバイスは、割り当てデータに基づいて、特に、割り当てデータ内に示されるリソース上で及び／又は同リソースを利用して、Ｄ２Ｄデータを送信し及び／又は受信するように適合され得る。Ｄ２ＤデバイスによるＤ２Ｄ通信及び／又は送信は、概して、ＵＬリソース及び／又は対応するキャリア若しくは周波数及び／又は変調内であり得る。（ＵＥといった）Ｄ２Ｄデバイスは、ＣＡ若しくはＣＡ動作のために適合され及び／又はＣＡ若しくはＣＡ動作が可能であり得る。特に、それは、１つ又は２つ以上のＣＣを送信し及び／若しくは受信するように、並びに／又は、キャリアアグリゲーションを利用し及び／若しくはそれに参加するために、適合され得る。Ｄ２Ｄデバイスは、構成データに従って自身を構成するように適合され及び／又は同データに従って構成され得る。これは、当該構成データに基づいて、受信のため並びに／又は送信のため並びに／又はリソースの共用のため並びに／又は、特にＤ２Ｄ動作及び／若しくはセルラ動作のために、リソース及び／又は機器をセットアップし及び／又はスケジューリングすること、を含み得る。
【０１５９】
構成データは、Ｄ２Ｄデバイスにより、他のノード又はＤ２Ｄデバイスから、特にネットワークノードから受信され得る。ネットワークノード、特に制御ノード及び／又は割り当てノードは、概して、特にＤ２Ｄデバイスに対して、構成データを提供し及び／又は決定し及び／又は送信するように適合され得る。構成データは、割り当てデータの１つの形であると見なされてよく、並びに／又は、メッセージ及び／若しくはデータパケットの形で提供されてよい。Ｄ２Ｄデバイス又はＵＥを構成すること、例えばネットワークノードによりノードを構成することは、構成データを決定し及び／又は構成されるべきノードへ即ちＤ２Ｄデバイス又はＵＥへ送信すること、を含み得る。構成データを決定することと、このデータをＤ２Ｄデバイス又はＵＥへ送信することと、は異なるノードによって実行されてよく、それらノードは、それらが互いの間で構成データを通信し及び／又は移送し得るように、特に、構成データを決定する又は決定するように適合されるノードが、構成データを、それを送信する又はそれを送信するように適合されるノードへと送信し得るように、構成されてもよい。後者のノードは、構成データを受信し、並びに／又は、例えば受信されたデータを再フォーマットし及び／若しくは修正し及び／若しくは更新することにより、当該構成データに基づいたメッセージを中継し及び／若しくは提供する、ように適合されてもよい。
【０１６０】
送信電力（又は電力密度）は、概して、送信される信号の電力（又は電力密度）への言及であり、又は概して、ワイヤレス送信の電力への言及であり得る。送信電力（又は電力密度）は、特に、Ｄ２Ｄデバイス若しくはＵＥにより送信される信号の及び／又はＤ２Ｄデバイス若しくはＵＥの送信の電力（又は電力密度）への言及であり得る。送信電力は、概して、特定のチャネル及び／又は周波数及び／又はセル及び／又はキャリア及び／又は帯域幅、及び／又はキャリア集合体及び／又は全般的なセットアップ、への言及であってよい。ＵＬ送信電力、又はより簡潔にＵＬ電力は、セルラ動作において、及び／又は、例えば基地局若しくはｅＮｏｄｅＢといった、Ｄ２Ｄデバイス若しくはＵＥにサービスするネットワークノードへ又は同ノードのために、特にそのＤ２Ｄデバイス若しくはＵＥによって送信される信号の電力、への言及であってよい。Ｄ２Ｄ送信電力（又は電力密度）は、Ｄ２Ｄ動作において及び／又はＤ２Ｄ送信のために、特にＤ２Ｄデバイス若しくはＵＥによって送信される信号の電力（又は電力密度）、への言及であってよい。送信電力（又は電力密度）は、例えばスロット、サブフレーム又はフレームといった、時間単位又はインターバルへの言及であり又はそれに関係し、並びに／又は、送信電力制御は、そうした単位若しくはインターバルについて実行され及び／又はそうした単位若しくはインターバルで更新され得る。電力制御又は送信電力制御は、概して、送信電力及び／又は送信電力スペクトル及び／又は時間的密度の制御への言及であり得る。ＴＰＣフォーマットにおける電力制御コマンド又はＴＰＣは、電力を制御するために使用され、並びに／又は、少なくとも１つのそうしたコマンド若しくはＴＰＣメッセージを受信するＤ２Ｄデバイス若しくはＵＥに、当該コマンド若しくはＴＰＣに基づいて及び／又はそれに従って電力を制御させるために使用され得る。上記コマンド又はＴＰＣは、ネットワークノード、特に基地局若しくはｅＮＢ若しくは割り当てノードから又はそれを介して、Ｄ２Ｄデバイスへ送信され得る。
【０１６１】
Ｄ２Ｄデバイス若しくはＵＥのセルラＤＬ動作及び／又は通信は、特にセルラ動作において及び／又はネットワークノード／ｅＮＢ／基地局から、ＤＬで送信を受信すること、への言及であってよい。Ｄ２Ｄデバイス又はＵＥのセルラＵＬ動作は、特にセルラ動作における、ＵＬ送信、例えばネットワークノード／ｅＮＢ／基地局へ送信すること、への言及であってよい。
【０１６２】
情報及び／又は条件を指示すること、特に、第１のノードにより第２のノードへ指示することは、例えばセルラ送信若しくはＤ２Ｄ送信を介して、又は第１のノードと第２のノードとがケーブルで接続されている場合にはケーブルを介して、当該情報、対応するメッセージ及び／又はデータ及び／又は指示を、特に第１のノードから第２のノードノードへ送信すること、を含み得る。
【０１６３】
概して、予め定義されたデータを取得することは、そうしたデータをメモリから読み取ること及び／又はそうしたデータにアクセスすること、を含み得る。
【０１６４】
図面に示されるＤ２Ｄデバイス又はユーザ機器は各々どれも、本明細書で説明されるユーザ機器若しくはＤ２Ｄデバイスにより又はそれを動作させるために実行されるべき方法を実行するように適合され得る。代替的に又は追加で、図面に示されるＤ２Ｄデバイス又はユーザ機器は各々どれも、本明細書で説明されるユーザ機器又はＤ２Ｄデバイスの特徴のうちのいずれか１つ又はいずれかの組み合わせを含み得る。図面に示されるネットワークノード又は制御ノード又はｅＮＢ又は基地局は各々どれも、本明細書で説明されるネットワークノード又は基地局により実行されるべき方法を実行するように適合され得る。代替的に又は追加で、図面に示される制御ノード又はネットワークノード又はｅＮＢ又は基地局は各々どれも、本明細書で説明されるネットワークノード又はｅＮＢ又は基地局の特徴のうちのいずれか１つ又はいずれか１つの組み合わせを含み得る。
【０１６５】
使用される略語は以下のとおりである：
３ＧＰＰ            第３世代パートナーシップ・プロジェクト
Ａｃｋ／Ｎａｃｋ    肯定応答／否定応答、Ａ／Ｎも同様
ＡＰ                アクセスポイント
ＢＥＲ／ＢＬＥＲ    ビットエラーレート、ブロックエラーレート；
ＢＳ                基地局
ＣＡ                キャリアアグリゲーション
ＣｏＭＰ            多地点協調送受信
ＣＱＩ              チャネル品質情報
ＣＲＳ              セル固有リファレンス信号
ＣＳＩ              チャネル状態情報
ＣＳＩ−ＲＳ        ＣＳＩリファレンス信号
Ｄ２Ｄ              デバイスツーデバイス
ＤＬ                ダウンリンク
ＥＰＤＣＣＨ        拡張物理ダウンリンク制御チャネル
ＤＬ                ダウンリンク；概して、ネットワークコアから（物理的に及び／又は論理的に）より離れたノードへの／方向へのデータの送信をいう；特に、基地局又はｅＮｏｄｅＢからＤ２Ｄデバイス又はＵＥへ；ＵＬとは異なる、特定されるスペクトル／帯域幅をしばしば用いる（例えば、ＬＴＥ）
ｅＮＢ              拡張ノードＢ；基地局の１つの形、ｅＮｏｄｅＢとも呼ばれる
Ｅ−ＵＴＲＡ／Ｎ    拡張ＵＭＴＳ地上無線アクセス／ネットワーク、ＲＡＴの一例
ｆ１、ｆ２、ｆ３、…、ｆｎ    キャリア／キャリア周波数；異なる数字は、言及されるキャリア／周波数が異なることを示し得る
ｆ１＿ＵＬ、…、ｆｎ＿ＵＬ    アップリンクのための／アップリンク内のキャリアの周波数又は帯域
ｆ１＿ＤＬ、…、ｆｎ＿ＤＬ    ダウンリンクのための／ダウンリンク内のキャリアの周波数又は帯域
ＦＤＤ              周波数分割複信
ＩＤ                識別情報
Ｌ１                レイヤ１
Ｌ２                レイヤ２
ＬＴＥ              ロングタームエボリューション、電気通信又はワイヤレス若しくは移動体通信
ＭＡＣ              メディアアクセス制御
ＭＢＳＦＮ          マルチブロードキャスト単一周波数ネットワーク
ＭＤＴ              ドライブテスト最小化
ＭＰＣ              測定性能特性
ＮＷ                ネットワーク
ＯＦＤＭ            直交周波数分割多重
Ｏ＆Ｍ              運用及びメンテナンス
ＯＳＳ              運用サポートシステム
ＰＣ                電力制御
ＰＤＣＣＨ          物理ダウンリンク制御チャネル
ＰＨ                電力ヘッドルーム
ＰＨＲ              電力ヘッドルーム報告
ＰＳＳ              プライマリ同期信号
ＰＵＳＣＨ          物理アップリンク共用チャネル
ＲＡ                ランダムアクセス
ＲＡＣＨ            ランダムアクセスチャネル
ＲＡＴ              無線アクセス技術
ＲＥ                リソースエレメント
ＲＢ                リソースブロック
ＲＲＨ              リモート無線ヘッド
ＲＲＭ              無線リソース管理
ＲＲＵ              リモート無線ユニット
ＲＳＲＱ            リファレンス信号受信品質
ＲＳＲＰ            リファレンス信号受信電力
ＲＳＳＩ            受信信号強度インジケータ
ＲＸ                受信／受信機、受信関連
ＳＡ                スケジューリング割り当て
ＳＩＮＲ／ＳＮＲ    信号対雑音及び干渉比；信号対雑音比
ＳＦＮ              単一周波数ネットワーク
ＳＯＮ              自己組織化ネットワーク
ＳＳＳ              セカンダリ同期信号
ＴＰＣ              送信電力制御
ＴＸ                送信／送信機、送信関連
ＴＤＤ              時間分割複信
ＵＥ                ユーザ機器
ＵＬ                アップリンク；概して、ネットワークコアに（物理的に及び／又は論理的に）より近いノードへの／方向へのデータの送信への言及である；特に、Ｄ２Ｄデバイス又はＵＥから基地局又はｅＮｏｄｅＢへ；Ｄ２Ｄの文脈では、Ｄ２Ｄにおける送信のために利用されるスペクトル／帯域幅への言及であり、これは、セルラ通信においてｅＮＢへのＵＬ通信のために使用されるものと同じであり得る；いくつかのＤ２Ｄの派生では、Ｄ２Ｄ通信に関与するすべてのデバイスによる送信は、いくつかの派生では、概して、ＵＬのスペクトル／帯域幅／キャリア／周波数においてであり得る。
【０１６６】
上記及び他の略語がＬＴＥ標準の定義に従って適宜使用され得る。
【０１６７】
本明細書において、限定ではなく説明の目的で、本明細書に提示される技術の完全な理解を提供する目的で、（具体的なネットワーク機能、プロセス、及びシグナリングステップといった）特定的な詳細が示される。本概念及び局面がこれらの特定的な詳細から逸脱する他の実施形態及び派生で実施されてもよいことは、当業者には明らかであろう。例えば、概念及び派生は、ＬＴＥ（Long  Term  Evolution）又はＬＴＥ−Ａ（LTE-Advanced）移動体又はワイヤレス通信技術の文脈で部分的に説明されている。しかしながら、これは、ＧＳＭ（Global  System  for  Mobile  Communications）等の追加の又は代替的な移動体通信技術との関連で本概念及び局面を使用することを除外するものではない。以下の実施形態は、３ＧＰＰ（Third  Generation  Partnership  Project）の所定の技術仕様（ＴＳ（Technical  Specifications））に関して部分的に説明されているが、異なる性能管理（ＰＭ（Performance  Management））仕様との関連で本概念及び局面を実現することも可能であることは理解されるであろう。
【０１６８】
また、本明細書で説明されるサービス、機能、及びステップが、プログラムされたマイクロプロセッサと連係して機能するソフトウェアを使用して、又は、特定用途向け集積回路（ＡＳＩＣ）、デジタル信号プロセッサ（ＤＳＰ）、フィールドプログラマブルゲートアレイ（ＦＰＧＡ）、若しくは汎用コンピュータを使用して、実現され得ることを、当業者は理解するであろう。本明細書で説明される実施形態は、方法及びデバイスの文脈で説明されるが、プログラムプロダクトでも、並びに、例えばコンピュータプロセッサ及び当該プロセッサへ接続されるメモリであって、本明細書に開示されるサービス、機能、及びステップを実行する１つ以上のプログラム又はプログラムプロダクトでエンコードされるメモリ、といった制御回路を含むシステムでも、本明細書に提示される概念及び局面が具現化され得ることは理解されるであろう。
【０１６９】
本明細書で提示される局面及び派生の利点は、上記の説明から完全に理解されるであろうと確信される。また、本明細書で説明される概念及び局面の範囲から逸脱することなく、その有利な効果のすべてを犠牲にすることもなく、上記説明の例示的な局面の形、構造、及び構成に種々の変更がなされ得ることは明らかであろう。本明細書に提示される局面は多くのやり方で変更されることができるので、保護のいかなる範囲も、説明によって限定されることなく、以下の特許請求の範囲によって定義されるべきであることは認識されるであろう。
【図１】
0006453453.tif 000002
【図２】
0006453453.tif 000003
【図３】
0006453453.tif 000004
【図４】
0006453453.tif 000005
【図５】
0006453453.tif 000006
【図６】
0006453453.tif 000007